(57)【要約】  本発明の実施形態は輻輳制御実装方法および装置を提供し、方法は、単一無線音声通信継続SRVCCオフロードが行われる必要のある1つ以上のユーザ機器を決定するステップと、SRVCCハンドオーバ手順を起動するときにE-UTRANノードBが1つ以上のユーザ機器をロング・ターム・エボリューションLTEドメインから回線交換CSドメインに切り替えるように、1つ以上のユーザ機器が属するE-UTRANノードB eNodeBにSRVCCオフロードメッセージを送信するステップと、を含む。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
2016513894.tif 000002
【特許請求の範囲】
【請求項１】
輻輳制御実装方法であって、前記方法はモビリティ管理エンティティMMEによって実行され、
単一無線音声通信継続SRVCCオフロードが行われる必要のある1つ以上のユーザ機器を決定するステップと、
SRVCCハンドオーバ手順を起動するときにE-UTRANノードBが前記1つ以上のユーザ機器をロング・ターム・エボリューションLTEドメインから回線交換CSドメインに切り替えるように、前記1つ以上のユーザ機器が属するE-UTRANノードB eNodeBにSRVCCオフロードメッセージを送信するステップと、
を備える方法。
【請求項２】
前記1つ以上のユーザ機器を決定する前に、前記方法は、
前記MMEがネットワーク輻輳状態にあると判断するステップ
をさらに備える、請求項1に記載の方法。
【請求項３】
前記MMEがネットワーク輻輳状態にあると判断するステップは、
ネットワーク側装置によって送信されるセル輻輳情報にしたがって前記MMEがネットワーク輻輳状態にあると判断するステップであって、前記セル輻輳情報はセル輻輳レベルおよびセル情報を含む、ステップ、または
サービス品質クラス識別子QCIベアラ設定成功率に関する統計を収集し、前記QCIベアラ設定成功率が予め設定された閾値よりも低いときに前記MMEがネットワーク輻輳状態にあると判断するステップ、
を備える、請求項2に記載の方法。
【請求項４】
前記1つ以上のユーザ機器が属するE-UTRANノードB eNodeBにSRVCCオフロードメッセージを送信した後、前記方法は、
オフロード指示を移動通信交換局MSCに送信するステップであって、前記MSCが前記SRVCCオフロードユーザ機器を管理および制御するように、前記1つ以上のユーザ機器はSRVCCオフロードがすでに行われたユーザ機器であることを前記MSCに通知するために前記オフロード指示が使用されるステップ
をさらに含む、請求項1から3のいずれか一項に記載の方法。
【請求項５】
E-UTRANノードBが前記1つ以上のユーザ機器をLTEドメインからCSドメインに切り替えた後、前記方法は、
CSからLTEへの切り替えが必要とされるときに、前記1つ以上のユーザ機器をCSドメインからLTEドメインに戻すよう切り替えるステップ
をさらに備える、請求項1から4のいずれか一項に記載の方法。
【請求項６】
輻輳制御実装方法であって、前記方法はE-UTRANノードB eNodeBによって実行され、前記方法は、
モビリティ管理エンティティMMEによって送信された単一無線音声通信継続SRVCCオフロードメッセージを受信するステップであって、前記SRVCCオフロードメッセージは、前記E-UTRANノードBによって支配される1つ以上のユーザ機器のためのSRVCCハンドオーバ手順を起動するように命令するために使用される、ステップと
前記SRVCCハンドオーバ手順が前記1つ以上のユーザ機器のために起動されたときに、前記1つ以上のユーザ機器をロング・ターム・エボリューションLTEドメインから回線交換CSドメインに切り替えるステップと、
を備える方法。
【請求項７】
輻輳制御実装方法であって、前記方法は移動通信交換局MSCによって実行され、前記方法は、
モビリティ管理エンティティMMEによって送信されたオフロード指示を受信するステップであって、前記オフロード指示は、前記1つ以上のユーザ機器は単一無線音声通信継続SRVCCオフロードがすでに行われたユーザ機器であることを前記MSCに通知するために使用される、ステップと、
前記オフロード指示にしたがって前記1つ以上のユーザ機器を管理および制御するステップであって、前記オフロード指示にしたがって前記1つ以上のユーザ機器を管理および制御するステップは、前記1つ以上のユーザ機器の音声通話が終了したときに、基地局コントローラまたは無線ネットワークコントローラが前記1つ以上のユーザ機器をロング・ターム・エボリューションLTEドメインまで早戻しするように、クリアリングメッセージを使用することによって前記基地局コントローラまたは前記無線ネットワークコントローラにLTEドメイン復帰情報を送信するステップを含む、ステップと、
を備える方法。
【請求項８】
前記クリアリングメッセージを使用することによって前記基地局コントローラまたは前記無線ネットワークコントローラにLTEドメイン復帰情報を送信するステップの前に、前記方法は、
前記1つ以上のユーザ機器の音声通話フォールバックの課金データ記録に料金表示を追加するステップであって、前記料金表示は、前記ユーザ機器がボイス・オーバー・ロング・ターム・エボリューションVoLTEユーザ機器と同じ料金制度を使用することを示すために使用される、ステップ
をさらに備える、請求項7に記載の方法。
【請求項９】
前記クリアリングメッセージを使用することによって前記基地局コントローラまたは前記無線ネットワークコントローラにLTEドメイン復帰情報を送信するステップの前に、前記方法は、
前記1つ以上のユーザ機器が音声通話を行うときに、前記音声通話中に高速符号化および復号が使用されると判断するステップ
をさらに備える、請求項7または8に記載の方法。
【請求項１０】
輻輳制御実装方法であって、前記方法はモビリティ管理エンティティMMEによって実行され、
単一無線音声通信継続SRVCCオフロードがすでに行われた1つ以上のユーザ機器を決定するステップと、
前記1つ以上のユーザ機器を回線交換CSドメインからロング・ターム・エボリューションLTEドメインに切り替えるステップと、
を備える方法。
【請求項１１】
前記1つ以上のユーザ機器を決定するステップの前に、前記方法は、
前記MMEが正常ネットワーク状態にあると判断するステップ
をさらに備える、請求項10に記載の方法。
【請求項１２】
前記MMEが正常ネットワーク状態にあると判断するステップは
ネットワーク側装置によって送信されたセル輻輳情報にしたがって、前記MMEが正常ネットワーク状態にあると判断するステップであって、前記セル輻輳情報はセル輻輳レベルおよびセル情報を備える、ステップ、または
サービス品質クラス識別子QCIベアラ設定成功率に関する統計を収集し、前記QCIベアラ設定成功率が予め設定された閾値よりも高いときに前記MMEが正常ネットワーク状態にあると判断するステップ、
を備える、請求項11に記載の方法。
【請求項１３】
モビリティ管理エンティティMMEであって、
単一無線音声通信継続SRVCCオフロードがすでに行われた1つ以上のユーザ機器を決定するように構成された制御ユニットと、
SRVCCハンドオーバ手順の間にE-UTRANノードBが前記1つ以上のユーザ機器をロング・ターム・エボリューションLTEドメインから回線交換CSドメインに切り替えるように、前記制御ユニットによって決定された1つ以上のユーザ機器が属するE-UTRANノードB eNodeBにSRVCCオフロードメッセージを送信するように構成された、送信ユニットと、
を備えるモビリティ管理エンティティMME。
【請求項１４】
前記制御ユニットは、前記1つ以上のユーザ機器が決定される前に、前記MMEがネットワーク輻輳状態にあると判断するようにさらに構成されている、
請求項13に記載のMME。
【請求項１５】
前記MMEは、ネットワーク側装置によって送信されるセル輻輳情報を受信するように構成された、受信ユニットをさらに備え、前記セル輻輳情報はセル輻輳レベルおよびセル情報を備え、
前記制御ユニットは、前記受信ユニットによって受信された前記セル輻輳情報にしたがって、前記MMEがネットワーク輻輳状態にあると判断するように構成されている、
請求項14に記載のMME。
【請求項１６】
前記制御ユニットは、サービス品質クラス識別子QCIベアラ設定成功率に関する統計を収集するようにさらに構成されており、
前記制御ユニットは、前記QCIベアラ設定成功率が予め設定された閾値よりも低いときに、前記MMEがネットワーク輻輳状態にあると判断するように明確に構成されている、
請求項14に記載のMME。
【請求項１７】
前記送信ユニットは、オフロード指示を移動通信交換局MSCに送信するようにさらに構成されており、前記オフロード指示は、前記1つ以上のユーザ機器はSRVCCオフロードがすでに行われたユーザ機器であることを前記MSCに通知するために使用される、
請求項13から16のいずれか一項に記載のMME。
【請求項１８】
前記制御ユニットは、CSからLTEへの切り替えが必要とされるときに前記1つ以上のユーザ機器をCSドメインからLTEドメインに切り替えるようにさらに構成されている、
請求項13から17のいずれか一項に記載のMME。
【請求項１９】
E-UTRANノードB eNodeBであって、
モビリティ管理エンティティMMEによって送信された単一無線音声通信継続SRVCCオフロードメッセージを受信するように構成された受信ユニットであって、前記SRVCCオフロードメッセージはE-UTRANノードBによって支配される1つ以上のユーザ機器のためのSRVCCハンドオーバ手順を起動するように命令するために使用される、受信ユニットと、
前記受信ユニットによって受信された前記SRVCCオフロードメッセージにしたがって、前記SRVCCハンドオーバ手順が前記1つ以上のユーザ機器によって起動されたときに前記1つ以上のユーザ機器をロング・ターム・エボリューションLTEドメインから回線交換CSドメインに切り替えるように構成された制御ユニットと、
を備えるE-UTRANノードB eNodeB。
【請求項２０】
移動通信交換局MSCであって、
モビリティ管理エンティティMMEによって送信されたオフロード指示を受信するように構成された受信ユニットであって、前記オフロード指示は、1つ以上のユーザ機器は単一無線音声通信継続SRVCCオフロードがすでに行われたユーザ機器であることを前記MSCに通知するために使用される、受信ユニットと、
前記受信ユニットによって受信された前記オフロード指示にしたがってLTEドメイン復帰情報を決定するように構成された制御ユニットと、
前記1つ以上のユーザ機器によって行われた音声通話が終了したときに、クリアリングメッセージを使用することによって基地局コントローラまたは無線ネットワークコントローラに、前記制御ユニットによって決定されたロング・ターム・エボリューションLTEドメイン復帰情報を送信するように構成された、送信ユニットと、
を備える、移動通信交換局MSC。
【請求項２１】
前記制御ユニットは、前記受信ユニットによって受信された前記オフロード指示にしたがって、前記送信ユニットが前記LTEドメイン復帰情報を送信する前に前記1つ以上のユーザ機器の音声通話フォールバックの課金データ記録に料金表示を追加するように、さらに構成されている、
請求項20に記載のMSC。
【請求項２２】
前記制御ユニットは、前記送信ユニットが前記LTEドメイン復帰情報を送信する前に、前記受信ユニットによって受信された前記オフロード指示にしたがって、前記1つ以上のユーザ機器によって行われる音声通話の間に高速符号化および復号が使用されると判断するように、さらに構成されている、
請求項20または21に記載のMSC。
【請求項２３】
モビリティ管理エンティティMMEであって、
単一無線音声通信継続SRVCCオフロードがすでに行われた1つ以上のユーザ機器を決定するように構成された第一制御ユニットと、
前記第一制御ユニットによって決定された前記1つ以上のユーザ機器を回線交換CSドメインからロング・ターム・エボリューションLTEドメインに切り替えるように構成された第二制御ユニットと、
を備えるモビリティ管理エンティティMME。
【請求項２４】
前記MMEは、
前記第一制御ユニットが前記1つ以上のユーザ機器を決定する前に、前記MMEが正常ネットワーク状態にあると判断するように構成された第三制御ユニットをさらに備える、
請求項22に記載のMME。
【請求項２５】
前記MMEは受信ユニットをさらに備え、
前記受信ユニットは、ネットワーク側装置によって送信されたセル輻輳情報を受信するようにさらに構成されており、前記セル輻輳情報はセル輻輳レベルおよびセル情報を備え、
前記第三制御ユニットは、前記受信ユニットによって受信された前記セル輻輳情報にしたがって、前記MMEが正常ネットワーク状態にあると判断するように明確に構成されている、
請求項24に記載のMME。
【請求項２６】
前記第三制御ユニットは、サービス品質クラス識別子QCIベアラ設定成功率に関する統計を収集するようにさらに構成されており、
前記第三制御ユニットは、前記QCIベアラ設定成功率が予め設定された閾値よりも高いときに、前記MMEが正常ネットワーク状態にあると判断するように構成されている、
請求項24に記載のMME。
【発明の詳細な説明】
【技術分野】
【０００１】
本明細書は、その全体が参照により本明細書に組み込まれる、2013年3月6日付けで中国特許庁に出願され、「CONGESTION CONTROL IMPLEMENTATION METHOD AND APPARATUS」と題された、中国特許出願第201310071325.4号の優先権を主張する。
【０００２】
本発明の実施形態は、無線通信技術の分野に関し、より具体的には、輻輳制御実装方法および装置に関する。
【背景技術】
【０００３】
技術の進歩とともに、ロング・ターム・エボリューション（Long Term Evolution、略して「LTE」）ネットワークによって確約された高帯域幅は、移動帯域幅成長のための大きな機械をもたらす。LTEデータサービスと比較して、ボイスオーバーLTE（Voice Over LTE、略して「VoLTE」）は、主にVoLTEはより高いサービス品質（quality-of-service、QoS）を必要とし、より低い遅延耐性を有するので、無線範囲リソースに対する高い要求を引き出す。加えて、VoLTEは、高精度の音声および動画符号化および復号をサポートするが、これはVolTEがより高い帯域幅要件を有することを意味し、VoLTEの帯域幅使用は、好ましくはLTEリソーススケジューリングによって保証される必要がある。上記の理由により、VoLTE加入者基盤の成長はLTEセルの範囲縮小を意味し、これによりセル輻輳が増加して、通話切断または通話制限などの現象が生じる。
【発明の概要】
【０００４】
本発明の実施形態は、VoLTEユーザの数が増加したときにLTEセル負荷を低減するような、輻輳制御実装方法および装置を提供する。
【課題を解決するための手段】
【０００５】
第一の態様によれば、本発明の実施形態は輻輳制御実装方法を提供し、方法は、モビリティ管理エンティティMMEによって実行され、単一無線音声通信継続SRVCCオフロードが行われる必要のある1つ以上のユーザ機器を決定するステップと、SRVCCハンドオーバ手順を起動するときにE-UTRANノードBが1つ以上のユーザ機器をロング・ターム・エボリューションLTEドメインから回線交換CSドメインに切り替えるように、1つ以上のユーザ機器が属するE-UTRANノードB eNodeBにSRVCCオフロードメッセージを送信するステップと、を含む。
【０００６】
第一の態様を参照すると、第一の可能な実施例において、1つ以上のユーザ機器を決定する前に、方法は、MMEがネットワーク輻輳状態にあると判断するステップをさらに含む。
【０００７】
第一の可能な実施例を参照すると、第二の可能な実施例において、MMEがネットワーク輻輳状態にあると判断するステップは、ネットワーク側装置によって送信されたセル輻輳情報にしたがってMMEがネットワーク輻輳状態にあると判断するステップであって、セル輻輳情報はセル輻輳レベルおよびセル情報を含む、ステップ、またはサービス品質クラス識別子QCIベアラ設定成功率に関する統計を収集し、QCIベアラ設定成功率が予め設定された閾値よりも低いときにMMEがネットワーク輻輳状態にあると判断するステップを、含む。
【０００８】
第一の態様または上記可能な実施例のいずれかを参照すると、第三の可能な実施例において、1つ以上のユーザ機器が属するE-UTRANノードB eNodeBにSRVCCオフロードメッセージを送信した後、方法は、オフロード指示を移動通信交換局MSCに送信するステップであって、MSCがSRVCCオフロードユーザ機器を管理および制御するように、1つ以上のユーザ機器はSRVCCオフロードがすでに行われたユーザ機器であることをMSCに通知するためにオフロード指示が使用される、ステップをさらに含む。
【０００９】
第一の態様または上記可能な実施例のいずれか1つを参照すると、第四の可能な実施例において、E-UTRANノードBが1つ以上のユーザ機器をLTEドメインからCSドメインに切り替えた後、方法は、
CSからLTEへの切り替えが必要とされるときに1つ以上のユーザ機器をCSドメインからLTEドメインに戻すよう切り替えるステップをさらに含む。
【００１０】
第二の態様によれば、本発明の実施形態は輻輳制御実装方法を提供し、方法はE-UTRANノードB eNodeBによって実行され、方法は、モビリティ管理エンティティMMEによって送信された単一無線音声通信継続SRVCCオフロードメッセージを受信するステップであって、SRVCCオフロードメッセージは、E-UTRANノードBによって支配される1つ以上のユーザ機器のためのSRVCCハンドオーバ手順を起動するように命令するために使用される、ステップと、SRVCCハンドオーバ手順が1つ以上のユーザ機器のために起動されたときに1つ以上のユーザ機器をロング・ターム・エボリューションLTEドメインから回線交換CSドメインに切り替えるステップと、を含む。
【００１１】
第二の態様を参照すると、第一の可能な実施例において、SRVCCハンドオーバ手順が1つ以上のユーザ機器のために起動される前に、方法は、1つ以上のユーザ機器のために接続モード測定を行うステップをさらに含む。
【００１２】
第三の態様によれば、本発明の実施形態はモビリティ管理エンティティMMEを提供し、これは、単一無線音声通信継続SRVCCオフロードが行われる必要がある1つ以上のユーザ機器を決定するように構成された、制御ユニットと、SRVCCハンドオーバ手順の間にE-UTRANノードBが1つ以上のユーザ機器をロング・ターム・エボリューションLTEドメインから回線交換CSドメインに切り替えるように、制御ユニットによって決定された1つ以上のユーザ機器が属するE-UTRANノードB eNodeBにSRVCCオフロードメッセージを送信するように構成された、送信ユニットと、を含む。
【００１３】
第三の態様を参照すると、第一の可能な実施例において、制御ユニットは、1つ以上のユーザ機器が決定される前に、MMEがネットワーク輻輳状態にあると判断するようにさらに構成されている。
【００１４】
第一の可能な実施例を参照すると、第二の可能な実施例において、MMEは、ネットワーク側装置によって送信されたセル輻輳情報を受信するように構成されており、セル輻輳情報はセル輻輳レベルおよびセル情報を含む、受信ユニットをさらに含み、制御ユニットは具体的には、受信ユニットによって受信されたセル輻輳情報にしたがって、MMEがネットワーク輻輳状態にあると判断するように構成されている。
【００１５】
第一の可能な実施例を参照すると、第三の可能な実施例において、制御ユニットは、サービス品質クラス識別子QCIベアラ設定成功率に関する統計を収集するようにさらに構成されており、制御ユニットは具体的には、QCIベアラ設定成功率が予め設定された閾値よりも低いときにMMEがネットワーク輻輳状態にあると判断するように構成されている。
【００１６】
第三の態様または上記可能な実施例のいずれか1つを参照すると、第四の可能な実施例において、送信ユニットは、オフロード指示を移動通信交換局MSCに送信するようにさらに構成されており、オフロード指示は、1つ以上のユーザ機器はSRVCCオフロードがすでに行われたユーザ機器であることをMSCに通知するために使用される。
【００１７】
第三の態様または上記可能な実施例のいずれか1つを参照すると、第五の可能な実施例において、制御ユニットは、CSからLTEへの切り替えが必要とされるときに1つ以上のユーザ機器をCSドメインからLTEドメインに切り替えるように、さらに構成されている。
【００１８】
第四の態様によれば、本発明の実施形態は、モビリティ管理エンティティMMEによって送信された単一無線音声通信継続SRVCCオフロードメッセージを受信するように構成された受信ユニットであって、SRVCCオフロードメッセージはE-UTRANノードBによって支配される1つ以上のユーザ機器のためのSRVCCハンドオーバ手順を起動するように命令するために使用される、受信ユニットと、受信ユニットによって受信されたSRVCCオフロードメッセージにしたがって、SRVCCハンドオーバ手順が1つ以上のユーザ機器によって起動されたときに1つ以上のユーザ機器をロング・ターム・エボリューションLTEドメインから回線交換CSドメインに切り替えるように構成された制御ユニットと、を含む、E-UTRANノードB eNodeBを提供する。
【００１９】
第四の態様を参照すると、第一の可能な実施例において、制御ユニットは、1つ以上のユーザ機器のための接続モード測定を行うようにさらに構成されており、制御ユニットは具体的には、接続モード測定の結果にしたがって、SRVCCハンドオーバ手順が1つ以上のユーザ機器のために起動されたときに1つ以上のユーザ機器をロング・ターム・エボリューションLTEドメインから回線交換CSドメインに切り替えるように構成されている。
【００２０】
本発明において提供された実施形態によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSは保証されることが可能である。
【００２１】
第五の態様によれば、本発明の実施形態は輻輳制御実装方法を提供し、方法は移動通信交換局MSCによって実行され、方法は、モビリティ管理エンティティMMEによって送信されたオフロード指示を受信するステップであって、オフロード指示は、1つ以上のユーザ機器は単一無線音声通信継続SRVCCオフロードがすでに行われたユーザ機器であることをMSCに通知するために使用される、ステップと、オフロード指示にしたがって1つ以上のユーザ機器を管理および制御するステップであって、オフロード指示にしたがって1つ以上のユーザ機器を管理および制御するステップは、1つ以上のユーザ機器によって行われた音声通話が終了したときに、基地局コントローラまたは無線ネットワークコントローラが1つ以上のユーザ機器をロング・ターム・エボリューションLTEドメインまで早戻しするように、クリアリングメッセージを使用することによって基地局コントローラまたは無線ネットワークコントローラにLTEドメイン復帰情報を送信するステップを含むステップと、を含む。
【００２２】
第五の態様を参照すると、第一の可能な実施例において、クリアリングメッセージを使用することによって基地局コントローラまたは無線ネットワークコントローラにLTEドメイン復帰情報を送信する前に、方法は、1つ以上のユーザ機器の音声通話フォールバックの課金データ記録に料金表示を追加するステップであって、料金表示はボイス・オーバー・ロング・ターム・エボリューションVoLTEユーザ機器と同じ料金制度を使用する、ステップをさらに含む。
【００２３】
第五の態様または第一の可能な実施例を参照すると、第二の可能な実施例において、クリアリングメッセージを使用することによって基地局コントローラまたは無線ネットワークコントローラにLTEドメイン復帰情報を送信する前に、方法は、1つ以上のユーザ機器が音声通話を行うときに、音声通話中に高速符号化および復号が使用されると判断するステップを、さらに含む。
【００２４】
第六の態様によれば、本発明は移動通信交換局MSCを提供し、これは、モビリティ管理エンティティMMEによって送信されたオフロード指示を受信するように構成された受信ユニットであって、オフロード指示は、1つ以上のユーザ機器は単一無線音声通信継続SRVCCオフロードがすでに行われたユーザ機器であることをMSCに通知するために使用される、受信ユニットと、受信ユニットによって受信されたオフロード指示にしたがってLTEドメイン復帰情報を決定するように構成された制御ユニットと、1つ以上のユーザ機器によって行われた音声通話が終了したときに、クリアリングメッセージを使用することによって基地局コントローラまたは無線ネットワークコントローラに、制御ユニットによって決定されたLTEドメイン復帰情報を送信するように構成された送信ユニットと、を含む。
【００２５】
第六の態様を参照すると、第一の可能な実施例において、制御ユニットは、受信ユニットによって受信されたオフロード指示にしたがって、送信ユニットがLTEドメイン復帰情報を送信する前に1つ以上のユーザ機器の音声通話フォールバックの課金データ記録に料金表示を追加するように、さらに構成されている。
【００２６】
第六の態様または第一の可能な実施例を参照すると、第二の可能な実施例において、制御ユニットは、送信ユニットがLTEドメイン復帰情報を送信する前に、受信ユニットによって受信されたオフロード指示にしたがって、1つ以上のユーザ機器によって行われる音声通話の間に高速符号化および復号が使用されると判断するように、さらに構成されている。
【００２７】
第七の態様によれば、本発明の実施形態は輻輳制御実装方法を提供し、方法は、モビリティ管理エンティティMMEによって実行され、単一無線音声通信継続SRVCCオフロードがすでに行われた1つ以上のユーザ機器を決定するステップと、1つ以上のユーザ機器を回線交換CSドメインからロング・ターム・エボリューションLTEドメインに切り替えるステップと、を含む。
【００２８】
第七の態様を参照すると、第一の可能な実施例において、1つ以上のユーザ機器を決定するステップの前に、方法は、MMEが正常ネットワーク状態にあると判断するステップを、さらに含む。
【００２９】
第一の可能な実施例を参照すると、第二の可能な実施例において、MMEが正常ネットワーク状態にあると判断するステップは、ネットワーク側装置によって送信されたセル輻輳情報にしたがって、MMEが正常ネットワーク状態にあると判断するステップであって、セル輻輳情報はセル輻輳レベルおよびセル情報を含む、ステップ、またはサービス品質クラス識別子QCIベアラ設定成功率に関する統計を収集し、QCIベアラ設定成功率が予め設定された閾値よりも高いときにMMEが正常ネットワーク状態にあると判断するステップを、含む。
【００３０】
第八の態様によれば、本発明の実施形態はモビリティ管理エンティティMMEを提供し、これは、単一無線音声通信継続SRVCCオフロードがすでに行われた1つ以上のユーザ機器を決定するように構成された第一制御ユニットと、第一制御ユニットによって決定された1つ以上のユーザ機器を回線交換CSドメインからロング・ターム・エボリューションLTEドメインに切り替えるように構成された第二制御ユニットと、を含む。
【００３１】
第八の態様を参照すると、第一の可能な実施例において、MMEは、MMEが正常ネットワーク状態にあると判断するように構成された第三制御ユニットを、さらに含む。
【００３２】
第一の可能な実施例を参照すると、第二の可能な実施例において、MMEは受信ユニットをさらに含み、受信ユニットはネットワーク側装置によって送信されたセル輻輳情報を受信するように構成されており、セル輻輳情報はセル輻輳レベルおよびセル情報を含み、第三制御ユニットは具体的には、受信ユニットによって受信されたセル輻輳情報にしたがって、MMEが正常ネットワーク状態にあると判断するように構成されている。
【００３３】
第一の可能な実施例を参照すると、第三の可能な実施例において、第三制御ユニットは、サービス品質クラス識別子QCIベアラ設定成功率に関する統計を収集するようにさらに構成されており、第三制御ユニットは具体的には、QCIベアラ設定成功率が予め設定された閾値よりも高いときに、MMEが正常ネットワーク状態にあると判断するように構成されている。
【００３４】
本発明において提供された実施形態によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器は、VoLTEユーザ機器からVoCSユーザ機器に切り替えられることが可能である。このようにして、LTEセル負荷は緩和され、1つ以上のユーザ機器が保証されることが可能である。
【００３５】
本発明の実施形態における技術的解決法をより明確に記載するために、実施形態および従来技術を記載するために必要とされる添付図面を、以下に簡潔に紹介する。明らかに、以下の記載における添付図面は本発明のいくつかの実施形態のみを示し、当業者は、創造的な努力を伴わずにこれらの添付図面から他の図面を導いてもよい。
【図面の簡単な説明】
【００３６】
【図１】本発明の実施形態による輻輳制御実装システムのアーキテクチャを示す、概略図である。
【図２】本発明の実施形態による輻輳制御実装方法の概略フローチャートである。
【図３】本発明の実施形態による輻輳制御実装方法の概略フローチャートである。
【図４】本発明の実施形態による輻輳制御実装方法の概略フローチャートである。
【図５】本発明の実施形態による輻輳制御実装方法の概略フローチャートである。
【図６】本発明の実施形態による別の輻輳制御実装方法の概略フローチャートである。
【図７】本発明の実施形態による別の輻輳制御実装方法の概略フローチャートである。
【図８】本発明の実施形態による輻輳制御実装方法の概略フローチャートである。
【図９】本発明の実施形態によるモビリティ管理エンティティの構造ブロック図である。
【図１０】本発明の実施形態によるE-UTRANノードBの構造ブロック図である。
【図１１】本発明の実施形態による移動通信交換局の構造ブロック図である。
【図１２】本発明の実施形態によるモビリティ管理エンティティの概略構造図である。
【図１３】本発明の実施形態によるモビリティ管理エンティティの構造ブロック図である。
【図１４】本発明の実施形態によるE-UTRANノードBの構造ブロック図である。
【図１５】本発明の実施形態による移動通信交換局の構造ブロック図である。
【図１６】本発明の実施形態によるモビリティ管理エンティティの概略構造図である。
【発明を実施するための形態】
【００３７】
以下、本発明の実施形態の図面を参照して、本発明の実施形態における技術的解決法を明確に完全に記載する。明らかに、記載された実施形態は、本発明の実施形態の一部に過ぎず、そのすべてではない。創造的な努力を伴わずに本発明の実施形態に基づいて当業者によって得られるその他すべての実施形態は、本発明の保護範囲に含まれる。
【００３８】
本発明の実施形態の技術的解決法は、汎欧州デジタル移動電話方式（Global System for Mobile Communications、略して「GSM（登録商標）」）、符号分割多元接続（Code Division Multiple Access、略して「CDMA」）システム、高帯域符号分割多元接続（Wideband Code Division Multiple Access、略して「WCDMA（登録商標）」）システム、汎用パケット無線サービス（General Packet Radio Service、略して「GPRS」）、ロング・ターム・エボリューション（Long Term Evolution、略して「LTE」）システム、LTE周波数分割二重通信（Frequency Division Duplex、略して「FDD」）システム、LTE時間分割二重通信（Time Division Duplex、略して「TDD」）、ユニバーサル移動体通信システム（Universal Mobile Telecommunication System、略して「UMTS」）など、様々な通信システムに適用可能であることは、理解されるべきである。
【００３９】
ユーザ機器（User Equipment、UE）は、携帯端末（Mobile Terminal、MT）、携帯ユーザ機器などとも称されてよく、無線アクセスネットワーク（たとえば、Radio Access Network、RAN）を通じて1つ以上のコアネットワークと通信してもよい。ユーザ機器は、携帯電話（「セルラー」電話とも称される）または携帯端末を備えるコンピュータなどの携帯端末であってもよい。たとえば、ユーザ機器は、持ち運び可能な、ポケットサイズの、手持ち型の、コンピュータ組み込みの、または車両実装された、移動装置であってもよい。
【００４０】
図1は、本発明の実施形態によるサービス制御実施システムのアーキテクチャを示す概略図である。サービス制御実施システム100は、モビリティ管理エンティティ（Mobility Management Entity、MME)101およびE-UTRANノードB（E-UTRAN NodeB、eNodeB）102を含む。
【００４１】
MME101は、SRVCCオフロードが行われる必要のある1つ以上のユーザ機器を決定するステップと、1つ以上のユーザ機器が属するE-UTRANノードB102にSRVCCオフロードメッセージを送信するステップであって、SRVCCオフロードメッセージはE-UTRANノードB102に1つ以上のユーザ機器のためのSRVCCハンドオーバ手順を起動するように命令するために使用されるステップと、を含む、単一無線音声通信継続（Single Radio Voice Call Continuity、SRVCC）オフロード手順を開始してもよい。
【００４２】
1つ以上のユーザ機器が属するE-UTRANノードB102はSRVCCオフロードメッセージを受信する。1つ以上のユーザ機器のための標準SRVCCハンドオーバ手順を起動するとき、E-UTRANノードB102は1つ以上のユーザ機器をLTEドメインから回線交換（Circuit Switched、CS）ドメインに切り替える。具体的には、E-UTRANノードB102がSRVCCオフロードメッセージを受信すると、E-UTRANノードB102は1つ以上のユーザ機器のためのSRVCCハンドオーバ手順を起動する。SRVCCハンドオーバ手順が1つ以上のユーザ機器のために順調に行われると、1つ以上のユーザ機器はVoLTEユーザ機器からボイスオーバーCS（Voice Over CS、VoCS）ユーザ機器に切り替えられ、通信のためにCSドメインを用いてもよい。
【００４３】
図1に示されるシステムによれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００４４】
図2は、本発明の実施形態による輻輳制御実装方法の概略フローチャートである。図2に示される方法は、MMEによって実行される。
【００４５】
201：SRVCCオフロードが行われる必要のある1つ以上のユーザ機器を決定する。
【００４６】
選択的に、MMEは、1つ以上のユーザ機器が決定される前に、MMEがネットワーク輻輳状態にあるか否かをさらに判断してもよい。MMEがネットワーク輻輳状態にあると画定されたとき、MMEは、1つ以上のユーザ機器がLTEドメインからCSドメインにオフロードされるように、SRVCCオフロードが行われる必要のある1つ以上のユーザ機器を決定する。
【００４７】
選択的に、MMEは、ネットワーク側装置によって送信されたセル輻輳情報にしたがって、MMEがネットワーク輻輳状態にあると判断してもよく、ここでネットワーク側装置は輻輳制御センターであってもよく、あるいはE-UTRANノードB（eNodeB）であってもよい。MMEは、QoSクラス識別子（QoS Class Identifier、QCI）ベアラ設定成功率に関する統計をさらに収集し、QCIベアラ設定成功率にしたがってMMEがネットワーク輻輳状態にあると判断してもよい。
【００４８】
MMEは、ステップ201の開始を決定するために、別の手段を使用してもよい。たとえば、MMEは、ユーザ機器または別のネットワーク側装置（基地局など）からの受信済み要求にしたがって、1つ以上のユーザ機器がCSドメインにオフロードされるように、SRVCCオフロードが行われる必要のある1つ以上のユーザ機器を決定してもよい。
【００４９】
202：SRVCCハンドオーバ手順を起動するときにE-UTRANノードBが1つ以上のユーザ機器をLTEドメインからCSドメインに切り替えるように、1つ以上のユーザ機器が属するE-UTRANノードB（eNodeB）にSRVCCオフロードメッセージを送信する。
【００５０】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器はVoLTEユーザ機器からVoCSユーザ機器に切り替えられ、通信のためにCSドメインを用いてもよい。
【００５１】
図2に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００５２】
図3は、本発明の実施形態による輻輳制御実装方法の概略フローチャートである。図3に示される方法は、E-UTRANノードBによって実行される。
【００５３】
301：MMEによって送信されたSRVCCオフロードメッセージを受信するが、ここでSRVCCオフロードメッセージは、E-UTRANノードBによって支配される1つ以上のユーザ機器のためのSRVCCハンドオーバ手順を起動するように命令するために使用される。
【００５４】
302：SRVCCハンドオーバ手順が1つ以上のユーザ機器のために起動されたときに1つ以上のユーザ機器をLTEドメインからCSドメインに切り替える。
【００５５】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器はVoLTEユーザ機器からVoCSユーザ機器に切り替えられ、通信のためにCSドメインを用いてもよい。
【００５６】
図3に示される方法によれば、E-UTRANノードBがMMEによって送信されたSRVCCオフロードメッセージを受信すると、E-UTRANノードBは1つ以上のUEのためのSRVCCハンドオーバ手順を起動してもよい。SRVCCハンドオーバ手順が順調に行われると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００５７】
図4は、本発明の実施形態による輻輳制御実装方法の概略フローチャートである。図4に示される方法は、移動通信交換局（Mobile Switching Center、MSC)によって実行される。
【００５８】
401：MMEによって送信されたオフロード指示を受信するが、ここでオフロード指示は、1つ以上のユーザ機器はSRVCCオフロードがすでに行われたユーザ機器であることを通知するために使用される。
【００５９】
402：オフロード指示にしたがって1つ以上のユーザ機器を管理および制御する。
【００６０】
オフロード指示にしたがって1つ以上のユーザ機器を管理および制御するステップは、1つ以上のユーザ機器によって行われた音声通話が終了したときに、BSCまたはRNCが1つ以上のユーザ機器をロング・ターム・エボリューションLTEドメインに早戻しするように、クリアリングメッセージを使用することによって基地局コントローラ（Base Station Controller、BSC)または無線ネットワークコントローラ（Radio Network Controller、RNC)にLTEドメイン復帰情報を送信するステップを含む。
【００６１】
選択的に、LTEドメイン復帰情報は、第四世代（4 Generation、4G）公衆陸上移動ネットワーク（Public Land Mobile Network、PLMN）情報および早戻し指示を含んでもよい。
【００６２】
図4に示される方法によれば、MSCは、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCはユーザ機器をLTEネットワークまで早戻しすることができる。
【００６３】
図5は、本発明の実施形態による輻輳制御実装方法の概略フローチャートである。
【００６４】
選択的に、一実施形態において、輻輳制御センターはステップ501を実行することによってセル輻輳情報を取得してもよい。
【００６５】
501：輻輳制御センターはE-UTRANノードB（eNodeB）によって送信されたセル輻輳情報を受信し、セル輻輳情報はセル輻輳レベルおよびセル情報を含む。
【００６６】
具体的には、E-UTRANノードBはセルの負荷情報を周期的に検出してもよく、負荷情報は、無線インターフェース物理リソースブロック（Physical Resource Block、PRB）利用率、VoLTE通話設定成功率、およびVoLTEベアラのIP QoSレベルなどの情報を含む。検出結果にしたがって、セルのセル輻輳レベルが決定される。E-UTRANノードBは、セル輻輳レベルおよびセル情報を搬送するセル輻輳情報を輻輳制御センターに送信するが、セル情報はE-UTRANセルグローバル識別子（E-UTRAN Cell Global Identifier、eCGI）であってもよい。
【００６７】
選択的に、別の実施形態において、輻輳制御センターは、ステップ502およびステップ503を実行することによって、セル輻輳情報をさらに取得してもよい。
【００６８】
502：輻輳制御センターは、セッション・ボーダ・コントローラ（Session Boarder Controller、SBC）またはパケット・データ・ネットワーク（Packet Data Network、PDN）ゲートウェイ（PDN Gateway、P-GW）からLTEセルの負荷情報およびセル情報を受信するが、負荷情報は、PRB利用率、VoLTE通話設定成功率、およびVoLTEベアラのIP QoSレベルなどの情報を含み、セル情報はeCGIであってもよい。
【００６９】
具体的には、SBCは通話サンプリングによって負荷情報を収集してもよい。P-GWは、アプリケーション層情報を構文解析してアプリケーション層情報から負荷情報を導くために、ディープ・パケット・インスペクション（Deep Packet Inspection、DPI）を行ってもよい。
【００７０】
503：輻輳制御センターは、LTEセルの負荷情報にしたがって、LTEドメインセルのセル輻輳レベルを決定する。
【００７１】
ステップ501が実行されたときまたはステップ502およびステップ503が実行されたとき、MMEが輻輳制御センターからセル輻輳レベルおよびセル情報を取得するように、ステップ504が実行されてもよい。
【００７２】
504：輻輳制御センターはセル輻輳レベルおよびセル情報をMMEに送信する。
【００７３】
選択的に、輻輳制御センターは、輻輳セルリストの形態でMMEにセル輻輳レベルおよびセル情報を送信してもよい。
【００７４】
505：MMEは、セル輻輳レベルにしたがってMMEがネットワーク輻輳状態にあると判断する。たとえば、セル輻輳レベルが予め設定された条件に適合しているとき、MMEは、MMEがネットワーク輻輳状態にあると判断する。
【００７５】
ステップ501およびステップ505は任意のステップであることに注意すべきである。ステップ501からステップ505までを実行することによって、1つ以上のユーザ機器がCSドメインにオフロードされるように、MMEがネットワーク輻輳状態にあるときにSRVCCオフロード手順を開始するように判断されてもよい。MMEがSRVCCオフロード手順の開始を判断するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【００７６】
506：MMEは、SRVCCオフロードが行われる必要のある1つ以上のユーザ機器を決定する。
【００７７】
具体的には、MMEは、1つ以上のユーザ機器の優先順位、位置情報、待ち受けセル、現在のサービス状態、および能力などの情報にしたがって、1つ以上のユーザ機器を決定してもよい。
【００７８】
選択的に、MMEは、必要なときに1つ以上のユーザ機器をCSドメインからLTEドメインに戻すよう切り替えてもよい。
【００７９】
具体的には、1つ以上のユーザ機器を決定するときに、MMEは、1つ以上のユーザ機器がVoLTEユーザ機器を用いる必要があるときに1つ以上のユーザ機器はマーカによって迅速に識別されてVoLTEユーザ機器を利用できるように、ユーザ機器として1つ以上のユーザ機器をさらに標識してもよい
【００８０】
507：MMEは、SRVCCハンドオーバ手順を起動するときに1つ以上のユーザ機器が属するE-UTRANノードBが1つ以上のユーザ機器をLTEドメインからCSドメインに切り替えるように、1つ以上のユーザ機器が属するE-UTRANノードB（eNodeB）にSRVCCオフロードメッセージを送信する。
【００８１】
具体的には、SRVCCオフロードメッセージを使用することによって、オフロードが行われる必要のある1つ以上のユーザ機器に、1つ以上のユーザ機器が属するE-UTRANノードBを通知してもよい。
【００８２】
選択的に、ステップ509が実行される前に、SRVCCハンドオーバが成功する可能性を増加させるために、ステップ508がさらに実行されてもよい。
【００８３】
508：1つ以上のユーザ機器が属するE-UTRANノードBがSRVCCオフロードメッセージを受信すると、E-UTRANノードBは1つ以上のユーザ機器の接続モード測定を行い、たとえばこれは、隣接セルの周波数および信号品質などの情報を測定し、隣接セルは2Gセルまたは3Gセルである。このように、SRVCCハンドオーバ手順が1つ以上のユーザ機器のために行われるとき、測定の結果にしたがって標的セルが選択されてもよく（たとえば、信号品質が高い方のセルが選択される）、これにより、SRVCCハンドオーバが成功する可能性を増加させる。
【００８４】
509：1つ以上のユーザ機器が属するE-UTRANノードBは、1つ以上のユーザ機器のためにSRVCCハンドオーバ手順が起動されている間に、1つ以上のユーザ機器をLTEドメインからCSドメインに切り替える。あるいは、ステップ508がすでに実行されているとき、1つ以上のユーザ機器が属するE-UTRANノードBは、接続モード測定の結果にしたがって、1つ以上のユーザ機器のためのSRVCCハンドオーバ手順を起動するときに1つ以上のユーザ機器をLTEドメインからCSドメインに切り替える。
【００８５】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器は、VoLTEユーザ機器からVoCSユーザ機器に切り替えられ、通信用にCSドメインを用いてもよい。SRVCCオフロードは、LTEセルの負荷を低減し、ユーザ機器を通信のためにVoLTEからVoCSに切り替えられるようにし、こうしてQoSおよびユーザ経験を向上させる。
【００８６】
510：MMEはMSCにオフロード指示をさらに送信し、ここでオフロード指示は、1つ以上のユーザ機器はSRVCCオフロードがすでに行われたユーザ機器であることを、MSCに通知するために使用される。これは、MSCがSRVCCオフロードユーザ機器を管理および制御するように、行われる。
【００８７】
具体的には、MMEは、オフロード指示を搬送するために、Svインターフェース上のPS to CS HO reqメッセージを使用してもよい。MSCは、オフロード指示にしたがって、SRVCCオフロードがすでに行われた1つ以上のユーザ機器を管理および制御してもよい。
【００８８】
具体的には、オフロード指示に応じたMSCによる、1つ以上のSRVCCオフロードユーザ機器の管理および制御の実践は以下を含む：1つ以上のユーザ機器によって行われた音声通話が終了したときに、BSCまたはRNCが1つ以上のユーザ機器をLTEドメインに早戻しするように、MSCは、クリアリングメッセージを使用することによって、BSCまたはRNCにLTEドメインを送信してもよい。
【００８９】
BSCまたはRNCにLTEドメイン復帰情報を送信する前に、MSCは1つ以上のユーザ機器の音声通話フォールバックのための課金データ記録に料金表示をさらに追加してもよく、料金表示は、1つ以上のユーザ機器がVoLTEユーザ機器と同じ料金制度を使用することを示すために使用される。
【００９０】
一貫した料金制度を適用することで、SRVCCオフロードが1つ以上のユーザ機器のために行われるときにユーザ経験が損なわれることを防止する。
【００９１】
BSCまたはRNCにLTEドメイン復帰情報を送信する前に、MSCは、1つ以上のユーザ機器が音声通話を行うときに、音声通話中に高速符号化および復号が使用されることを、さらに決定してもよい。
【００９２】
図5に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００９３】
図6は、本発明の実施形態による別の輻輳制御実装方法の概略フローチャートである。
【００９４】
601：MMEはE-UTRANノードB（eNodeB）によって送信されたセル輻輳情報を受信し、セル輻輳情報はセル輻輳レベルおよびセル情報を含む。
【００９５】
具体的には、E-UTRANノードB（eNodeB）はセルの負荷情報を周期的に検出してもよく、負荷情報は、無線インターフェースPRB利用率、VoLTE通話設定成功率、およびVoLTEベアラのIP QoSレベルなどの情報を含む。検出の結果にしたがって、セルのセル輻輳レベルが決定される。E-UTRANノードBは、セル輻輳レベルおよびセル情報を搬送するセル輻輳情報をMMEに周期的に送信してもよく、セル情報はeCGIであってもよい。
【００９６】
ステップ601は任意のステップであってもよく、MMEがネットワーク輻輳状態にあるとき、ステップ601を実行することによって、1つ以上のユーザ機器がCSドメインにオフロードされるように、SRVCCオフロード手順を開始すべきであると判断されてもよいことに、注意すべきである。MMEがSRVCCオフロード手順の開始を決定するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【００９７】
ステップ602からステップ607は、ステップ内で行われる具体的な動作およびステップが任意で有るか否かに関して、図5に示されるステップ505からステップ510と同じである。したがって、詳細は本明細書内で繰り返し記載されない。
【００９８】
図6に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００９９】
図7は、本発明の実施形態による別の輻輳制御実装方法の概略フローチャートである。
【０１００】
701：MMEはQoSクラス識別子（QoS Class Identifier、QCI）ベアラ設定成功率に関する統計を収集し、QCIベアラ設定成功率が予め設定された閾値よりも低いときに、MMEがネットワーク輻輳状態にあると判断する。
【０１０１】
ステップ701は任意ステップであってもよいことに、注意すべきである。ステップ701を実行することによって、1つ以上のユーザ機器がCSドメインにオフロードされるように、MMEがネットワーク輻輳状態にあるときにSRVCCオフロード手順が開始されると判断してもよい。MMEがSRVCCオフロード手順の開始を決定するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【０１０２】
ステップ702からステップ706は、ステップ内で行われる具体的な動作およびステップが任意で有るか否かに関して、図5に示されるステップ506からステップ510と同じである。したがって、詳細は本明細書内で繰り返し記載されない。
【０１０３】
図7に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１０４】
図8は、本発明の実施形態による輻輳制御実装方法の概略フローチャートである。図8に示される方法はMMEによって実行される。
【０１０５】
801：SRVCCオフロードがすでに行われた1つ以上のユーザ機器を決定する。
【０１０６】
選択的に、MMEは、SRVCCオフロードが1つ以上のユーザ機器のために行われたときに生成されるマーカにしたがって、1つ以上のユーザ機器を決定してもよい。
【０１０７】
選択的に、1つ以上のユーザ機器が決定される前に、MMEは、MMEが正常ネットワーク状態にあることをさらに判断してもよい。
【０１０８】
具体的には、MMEは、輻輳制御センターによって送信されたセル輻輳レベルおよびセル情報にしたがって、MMEが正常ネットワーク状態にあると判断してもよい。MMEはまた、QCIベアラ設定成功率に関する統計を収集してもよく、QCIベアラ設定成功率が予め設定された閾値よりも高いときに、MMEが正常ネットワーク状態にあると判断してもよい。具体的なステップは、図5に示されるステップ501からステップ505、図6に示されるステップ601、および図7に示されるステップ701と類似であり、詳細は本明細書内で繰り返し記載されない。
【０１０９】
MMEがステップ801の開始を決定するために別の手段を使用してもよいことは、理解される。たとえば、MMEは、ユーザ機器または別のネットワーク側装置（基地局など）からの受信済み要求にしたがって、1つ以上のユーザ機器がVoLTEユーザ機器として回復されるように、SRVCCオフロードがすでに行われた1つ以上のユーザ機器を決定してもよい。
【０１１０】
802：1つ以上のユーザ機器をCSドメインからLTEドメインに切り替える。
【０１１１】
ユーザ機器がCSドメインからLTEドメインに切り替えられると、ユーザ機器がVoLTEユーザ機器として回復されたことを示すことに、注意すべきである。
【０１１２】
図8に示される方法によれば、MMEは、ユーザ機器にVoLTEユーザ機器と同じユーザ経験が提供されるように、SRVCCオフロードがすでに行われたユーザ機器をVoLTEユーザ機器として回復してもよい。
【０１１３】
図9は、本発明の実施形態によるモビリティ管理エンティティの構造ブロック図である。図9に示されるモビリティ管理エンティティ（Mobility Management Entity、MME）900は、図1、図2、および図5から図7のMMEによって実行される各ステップを実行することができる。MME900は、制御ユニット901および送信ユニット902を含む。
【０１１４】
制御ユニット901は、SRVCCオフロードが行われる必要のある1つ以上のユーザ機器を決定するように構成されている。
【０１１５】
送信ユニット902は、SRVCCハンドオーバ手順を起動するときに、E-UTRANノードBが1つ以上のユーザ機器をLTEドメインからCSドメインに切り替えるように、制御ユニット901によって決定された1つ以上のユーザ機器が属するE-UTRANノードB（eNodeB）にSRVCCオフロードメッセージを送信するように構成されている。
【０１１６】
図9に示されるMME900は、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１１７】
選択的に、制御ユニット901は、1つ以上のユーザ機器が決定される前に、MMEがネットワーク輻輳状態にあると判断するように、さらに構成されている。
【０１１８】
選択的に、MME900は、受信ユニット903をさらに含んでもよい。受信ユニット903はネットワーク側装置によって送信されたセル輻輳情報を受信するように構成されており、セル輻輳情報はセル輻輳レベルおよびセル情報を含む。制御ユニット901は、セル輻輳情報にしたがって、MME900がネットワーク輻輳状態にあると判断するように、明確に構成されている。
【０１１９】
選択的に、制御ユニット901は、QCIベアラ設定成功率に関する統計を収集するように、さらに構成されてもよい。制御ユニット901は、QCIベアラ設定成功率が予め設定された閾値よりも低いときに、MMEがネットワーク輻輳状態にあると判断するように、明確に構成されている。
【０１２０】
選択的に、送信ユニット902はMSCにオフロード指示を送信するようにさらに構成されており、オフロード指示は、1つ以上のユーザ機器はSRVCCオフロードがすでに行われたユーザ機器であることをMSCに通知するために、使用される。これは、MSCが、SRVCCオフロードがすでに行われたユーザ機器を管理および制御するように、行われる。
【０１２１】
選択的に、制御ユニット901は、必要なときに1つ以上のユーザ機器をCSドメインからLTEドメインに戻すよう切り替えるように、構成されてもよい。具体的には、1つ以上のユーザ機器が決定されると、制御ユニット901は、1つ以上のユーザ機器がVOLTEユーザ機器として回復される必要があるときに1つ以上のユーザ機器が迅速かつ正確に決定されることが可能なように、1つ以上のユーザ機器をSRVCCオフロードユーザ機器として標識するように、さらに構成されてもよい。
【０１２２】
図10は、本発明の実施形態によるE-UTRANノードBの構造ブロック図である。E-UTRANノードB（eNodeB）1000は、図1、図3、および図5から図7のE-UTRANノードBによって実行される各ステップを実行してもよい。図10に示されるように、E-UTRANノードB1000は、受信ユニット1001および制御ユニット1002を含む。
【０１２３】
受信ユニット1001は、MMEによって送信されたSRVCCオフロードメッセージを受信するように構成されており、SRVCCオフロードメッセージは、E-UTRANノードB1000によって支配される1つ以上のユーザ機器のためのSRVCCハンドオーバ手順を起動するように命令するために、使用される。
【０１２４】
制御ユニット1002は、受信ユニット1001によって受信されたSRVCCオフロードメッセージにしたがって、SRVCCハンドオーバ手順が1つ以上のユーザ機器のために起動されたときに、1つ以上のユーザ機器をLTEドメインからCSドメインに切り替えるように、構成されている。
【０１２５】
図10に示されるE-UTRANノードB1000がMMEによって送信されたSRVCCオフロードメッセージを受信すると、E-UTRANノードB1000は1つ以上のユーザ機器のためのSRVCCハンドオーバ手順を起動してもよい。SRVCCハンドオーバ手順が順調に行われると、1つ以上のユーザ機器は、VoLTEユーザ機器からVoCSユーザ機器に切り替えられることが可能である。このようにして、LTEセル負荷は緩和され、1つ以上のユーザ機器のQoSが保証されることが可能である。
【０１２６】
選択的に、制御ユニット1002は、受信ユニット1001がSRVCCオフロードメッセージを受信すると、たとえば隣接セルの周波数および信号品質などの情報を測定する、1つ以上のユーザ機器のための接続モード測定を行うように、さらに構成されてもよく、隣接セルは2Gセルまたは3Gセルである。制御ユニット702は、接続モード測定の結果にしたがって、SRVCCハンドオーバ手順が1つ以上のユーザ機器のために起動されたときに1つ以上のユーザ機器をLTEドメインからCSドメインに切り替えるように、明確に構成されている。
【０１２７】
図11は、本発明の実施形態による移動通信交換局の構造ブロック図である。MSC1100は、図4から図7のMSCによって実行される各ステップを実行してもよい。図11に示されるように、MSC1100は、受信ユニット1101、制御ユニット1102、および送信ユニット1103を含む。
【０１２８】
受信ユニット1101はMMEによって送信されたオフロード指示を受信するように構成されており、オフロード指示は、1つ以上のユーザ機器はSRVCCオフロードがすでに行われたユーザ機器であることをMSCに通知するために、使用される。
【０１２９】
制御ユニット1102は、オフロード指示にしたがって1つ以上のユーザ機器を管理および制御するように構成されている。
【０１３０】
具体的には、制御ユニット1102は、受信ユニット1101によって受信されたオフロード指示にしたがってLTEドメイン復帰情報を決定するように、構成されている。送信ユニット1103は、1つ以上のユーザ機器によって行われた音声通話が終了すると、BSCまたはRNCが1つ以上のユーザ機器をロング・ターム・エボリューションLTEドメインに早戻しするように、制御ユニット1102によって決定されたLTEドメイン復帰情報を、クリアリングメッセージを使用することによってBSCまたはRNCに送信するように、構成されている。
【０１３１】
選択的に、LTEドメイン復帰情報は、4G PLMN情報および早戻し指示を含んでもよい。
【０１３２】
図11に示されるMSC1100は、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCは、ユーザをLTEネットワークまで早戻しすることができる。
【０１３３】
選択的に、制御ユニット1102は、受信ユニット1101によって受信されたオフロード指示にしたがって、送信ユニット1103がLTEドメイン復帰情報を送信する前に、1つ以上のユーザ機器の音声通話フォールバックの課金データ記録に料金表示を追加するように、さらに構成されており、料金表示は、1つ以上のユーザ機器がVoLTEユーザ機器と同じ料金制度を使用することを示すために使用される。
【０１３４】
一貫した料金制度を適用することで、SRVCCオフロードが1つ以上のユーザ機器のために行われるときにユーザ経験が損なわれることを防止する。
【０１３５】
選択的に、1つ以上のユーザ機器が音声通話を行うとき、制御ユニット1102は、送信ユニット1103がLTEドメイン復帰情報を送信する前に、受信ユニット1101によって受信されたオフロード指示にしたがって、音声通話中に高速符号化および復号が使用されることを決定するように、さらに構成されている。
【０１３６】
図12は、本発明の実施形態によるモビリティ管理エンティティの概略構造図である。MME1200は、図8に示されるMMEによって実行される各ステップを実行してもよい。図12に示されるように、MME1200は、第一制御ユニット1201および第二制御ユニット1202を含む。
【０１３７】
第一制御ユニット1201は、SRVCCオフロードがすでに行われた1つ以上のユーザ機器を決定するように構成されている。
【０１３８】
選択的に、第一制御ユニット1201は、SRVCCオフロードが1つ以上のユーザ機器のために行われたときに生成されたマーカにしたがって、1つ以上のユーザ機器を決定してもよい。
【０１３９】
第二制御ユニット1202は、第一制御ユニット1201によって決定された1つ以上のユーザ機器を、CSドメインからLTEドメインに切り替えるように構成されている。
【０１４０】
ユーザ機器がCSドメインからLTEドメインに切り替えられると、ユーザ機器はVoLTEユーザ機器として回復されることを示すことに、注意すべきである。
【０１４１】
図12に示されるMME1200は、ユーザ機器にVoLTEユーザ機器と同じユーザ経験が提供されるように、SRVCCオフロードがすでに行われたユーザ機器をVoLTEユーザ機器として回復させてもよい。
【０１４２】
選択的に、MME1200は、第三制御ユニット1203をさらに含んでもよい。第三制御ユニット1203は、第一制御ユニット1201が1つ以上のユーザ機器を決定する前に、MMEが正常ネットワーク状態にあると判断するように構成されてもよい。具体的には、MME1200は、ネットワーク側装置によって送信されたセル輻輳情報を受信するように構成された受信ユニット1204をさらに含んでもよく、セル輻輳情報はセル輻輳レベルおよびセル情報を含み、第三制御ユニット1203は、セル輻輳情報にしたがって、MMEが正常ネットワーク状態にあると判断するように、明確に構成されている。あるいは、第三制御ユニット1203は、QCIベアラ設定成功率に関する統計を収集するようにさらに構成されてもよく、第三制御ユニット1203は、QCIベアラ設定成功率が予め設定された閾値よりも高いときに、MMEが正常ネットワーク状態にあると判断するように、明確に構成されている。
【０１４３】
図13は、本発明の実施形態によるモビリティ管理エンティティの構造ブロック図である。図13に示されるモビリティ管理エンティティ（Mobility Management Entity、MME）1300は、図1、図2、および図5から図7のMMEによって実行される各ステップを実行することができる。MME1300は、プロセッサ1301および送信器1302を含む。
【０１４４】
プロセッサ1301は、SRVCCオフロードが行われる必要のある1つ以上のユーザ機器を決定するように構成されている。
【０１４５】
送信器1302は、SRVCCハンドオーバ手順を起動するときに、E-UTRANノードBが1つ以上のユーザ機器をLTEドメインからCSドメインに切り替えるように、プロセッサ1301によって決定された1つ以上のユーザ機器が属するE-UTRANノードB（eNodeB）にSRVCCオフロードメッセージを送信するように、構成されている。
【０１４６】
図13に示されるMME1300は、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１４７】
選択的に、プロセッサ1301は、1つ以上のユーザ機器が決定される前に、MMEがネットワーク輻輳状態にあると判断するように、さらに構成されている。
【０１４８】
選択的に、MME1300は、受信器1303をさらに含んでもよい。受信器1303はネットワーク側装置によって送信されたセル輻輳情報を受信するように構成されており、セル輻輳情報はセル輻輳レベルおよびセル情報を含む。プロセッサ1301は、セル輻輳情報にしたがって、MME1300がネットワーク輻輳状態にあると判断するように、明確に構成されている。
【０１４９】
選択的に、プロセッサ1301は、QCIベアラ設定成功率に関する統計を収集するように、さらに構成されている。プロセッサ1301は、QCIベアラ設定成功率が予め設定された閾値よりも低いときに、MMEがネットワーク輻輳状態にあると判断するように、明確に構成されている。
【０１５０】
選択的に、送信器1302はMSCにオフロード指示を送信するようにさらに構成されており、オフロード指示は、MSCがSRVCCオフロードユーザ機器を管理および制御するように、1つ以上のユーザ機器はSRVCCオフロードがすでに行われたユーザ機器であることをMSCに通知するために使用される。
【０１５１】
選択的に、プロセッサ1301は、必要なときに1つ以上のユーザ機器をCSドメインからLTEドメインに戻すよう切り替えるように、構成されてもよい。具体的には、1つ以上のユーザ機器が決定されると、プロセッサ1301は、1つ以上のユーザ機器がVOLTEユーザ機器として回復される必要があるときに1つ以上のユーザ機器が迅速かつ正確に決定されるように、1つ以上のユーザ機器をSRVCCオフロードユーザ機器として標識するように、さらに構成されてもよい。
【０１５２】
図14は、本発明の実施形態によるE-UTRANノードBの構造ブロック図である。E-UTRANノードB（eNodeB）1400は、図1、図3、および図5から図7のE-UTRANノードBによって実行される各ステップを実行してもよい。図14に示されるように、E-UTRANノードB1400は、受信器1401およびプロセッサ1402を含む。
【０１５３】
受信器1401はMMEによって送信されたSRVCCオフロードメッセージを受信するように構成されており、SRVCCオフロードメッセージは、E-UTRANノードB1400によって支配される1つ以上のユーザ機器のためのSRVCCハンドオーバ手順を起動するように命令するために、使用される。
【０１５４】
プロセッサ1402は、受信器1401によって受信されたSRVCCオフロードメッセージにしたがって、SRVCCハンドオーバ手順が1つ以上のユーザ機器のために起動されるときに1つ以上のユーザ機器をLTEドメインからCSドメインに切り替えるように、構成されている。
【０１５５】
図14に示されるE-UTRANノードB1400がMMEによって送信されたSRVCCオフロードメッセージを受信すると、E-UTRANノードB1400は、1つ以上のユーザ機器のためにSRVCCハンドオーバ手順を起動してもよい。SRVCCハンドオーバ手順が順調に行われると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１５６】
選択的に、プロセッサ1402は、受信器1401がSRVCCオフロードメッセージを受信したときに、たとえば隣接セルの周波数および信号品質などの情報を測定する、1つ以上のユーザ機器のための接続モード測定を行うように、さらに構成されてもよく、隣接セルは2Gセルまたは3Gセルである。プロセッサ702は、接続モード測定の結果にしたがって、SRVCCハンドオーバ手順が1つ以上のユーザ機器のために起動されたときに1つ以上のユーザ機器をLTEドメインからCSドメインに切り替えるように、明確に構成されている。
【０１５７】
図15は、本発明の実施形態による移動通信交換局の構造ブロック図である。MSC1500は、図4から図7のMSCによって実行される各ステップを実行してもよい。図15に示されるように、MSC1500は、受信器1501、プロセッサ1502、および送信器1503を含む。
【０１５８】
受信器1501はMMEによって送信されたオフロード指示を受信するように構成されており、オフロード指示は、1つ以上のユーザ機器はRVCCオフロードがすでに行われたユーザ機器であることをMSCに通知するために、使用される。
【０１５９】
プロセッサ1542は、オフロード指示にしたがって1つ以上のユーザ機器を管理および制御するように構成されている。
【０１６０】
具体的には、プロセッサ1502は、受信器1541によって受信されたオフロード指示にしたがってLTEドメイン復帰情報を決定するように、構成されている。送信器1503は、1つ以上のユーザ機器によって行われた音声通話が終了すると、BSCまたはRNCが1つ以上のユーザ機器をロング・ターム・エボリューションLTEドメインに早戻しするように、プロセッサ1542によって決定されたLTEドメイン復帰情報を、クリアリングメッセージを使用することによってBSCまたはRNCに送信するように、構成されている。
【０１６１】
選択的に、LTEドメイン復帰情報は、4G PLMN情報および早戻し指示を含んでもよい。
【０１６２】
図15に示されるMSC1500は、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCは、ユーザをLTEネットワークまで早戻しすることができる。
【０１６３】
選択的に、プロセッサ1502は、受信器1501によって受信されたオフロード指示にしたがって、送信器1503がLTEドメイン復帰情報を送信する前に、1つ以上のユーザ機器の音声通話フォールバックの課金データ記録に料金表示を追加するように、さらに構成されたおり、料金表示は、1つ以上のユーザ機器がVoLTEユーザ機器と同じ料金制度を使用することを示すために使用される。一貫した料金制度を適用することで、SRVCCオフロードが1つ以上のユーザ機器のために行われるときにユーザ経験が損なわれることを防止する。
【０１６４】
選択的に、1つ以上のユーザ機器が音声通話を行うとき、プロセッサ1502は、送信器1503がLTEドメイン復帰情報を送信する前に、受信器1501によって受信されたオフロード指示にしたがって、音声通話中に高速符号化および復号が使用されることを決定するように、さらに構成されている。
【０１６５】
図16は、本発明の実施形態によるモビリティ管理エンティティの概略構造図である。MME1600は、図8に示されるMMEによって実行される各ステップを実行してもよい。図16に示されるように、MME1600は、プロセッサ1601を含む。
【０１６６】
プロセッサ1601は、SRVCCオフロードがすでに行われた1つ以上のユーザ機器を決定するように構成されている。
【０１６７】
選択的に、プロセッサ1601は、SRVCCオフロードが1つ以上のユーザ機器のために行われたときに生成されたマーカにしたがって、1つ以上のユーザ機器を決定してもよい。
【０１６８】
プロセッサ1601は、1つ以上のユーザ機器をCSドメインからLTEドメインに切り替えるように、さらに構成されている。
【０１６９】
ユーザ機器がCSドメインからLTEドメインに切り替えられると、ユーザ機器はVoLTEユーザ機器として回復されることを示すことに、注意すべきである。
【０１７０】
図16に示されるMME1600は、ユーザ機器にVoLTEユーザ機器と同じユーザ経験が提供されるように、SRVCCオフロードがすでに行われたユーザ機器をVoLTEユーザ機器として回復させてもよい。
【０１７１】
選択的に、プロセッサ1601が1つ以上のユーザ機器を決定する前に、プロセッサ1601は、MMEが正常ネットワーク状態にあると判断するように、さらに構成されてもよい。具体的には、MME1600は、ネットワーク側装置によって送信されたセル輻輳情報を受信するように構成された受信器1602をさらに含んでもよく、セル輻輳情報はセル輻輳レベルおよびセル情報を含み、プロセッサ1601は、セル輻輳情報にしたがって、MMEが正常ネットワーク状態にあると判断するように、明確に構成されている。あるいは、プロセッサ1601は、QCIベアラ設定成功率に関する統計を収集するようにさらに構成されてもよく、プロセッサ1601は、QCIベアラ設定成功率が予め設定された閾値よりも高いときに、MMEが正常ネットワーク状態にあると判断するように、明確に構成されている。
【０１７２】
当業者は、本明細書に開示された実施形態に記載された例と組み合わせて、ユニットおよびアルゴリズムステップが、電子ハードウェア、またはコンピュータソフトウェアと電子ハードウェアとの組み合わせによって実施されてもよいことを、認識するだろう。機能がハードウェアまたはソフトウェアのいずれによって行われるかは、特定用途および技術的解決法の設計制約条件に依存する。当業者は、各特定用途について記載された機能を実施するために異なる方法を使用してもよいが、しかし実施が本発明の範囲を超えると見なされるべきではない。
【０１７３】
便利で簡潔な記載を目的として、上記システム、装置、およびユニットの詳細な動作プロセスのため、上記方法実施形態の対応するプロセスが参照され、本明細書中で詳細が記載されないことは、当業者によって明確に理解されるだろう。
【０１７４】
本明細書で提供されるいくつかの実施形態において、開示されたシステム、装置、および方法が別のやり方で実施されてもよいことは、理解されるべきである。たとえば、開示された装置実施形態は例示に過ぎない。たとえば、ユニット区分は論理機能区分に過ぎず、実際の実施においては別の区分であってもよい。たとえば、複数のユニットまたは構成要素は別のシステムと組み合わせられるかまたは組み込まれてもよく、いくつかの特徴は無視されるかまたは実行されなくてもよい。加えて、表示または議論された相互結合または直接結合または通信接続は、いくつかのインターフェースを通じて実施されてもよい。装置またはユニットの間の間接結合または通信接続は、電子的、機械的、または別の形態で実施されてもよい。
【０１７５】
個別部品として記載されたユニットは物理的に分離していてもいなくてもよく、ユニットとして記載された部品は物理的ユニットであってもなくてもよく、1箇所に位置してもよく、あるいは複数のネットワークユニット上に分散していてもよい。一部またはすべてのユニットは、実施形態の解決法の目的を達成するための実際の必要性に応じて選択されてもよい。
【０１７６】
加えて、本発明の実施形態における機能ユニットは、1つの処理ユニットに組み込まれてもよく、あるいはユニットの各々は物理的に単独で存在してもよく、あるいは2つ以上のユニットが1つのユニットに組み込まれる。
【０１７７】
機能がソフトウェア機能ユニットの形態で実施されて独立した製品として販売または使用されるとき、機能はコンピュータ可読記憶媒体に記憶されてもよい。このような理解に基づき、本発明の技術的解決法は本質的に、または従来技術に寄与する部分、または技術的解決法の一部は、ソフトウェア製品の形態で実施されてもよい。ソフトウェア製品は、記憶媒体に記憶され、本発明の実施形態に記載された方法のステップのすべてまたは一部を実行するようにコンピュータ装置（パーソナルコンピュータ、サーバ、またはネットワーク装置であってもよい）またはプロセッサに命令するための、いくつかの命令を含む。上記記憶媒体は、USBフラッシュドライブ、リムーバブル・ハード・ディスク、読み取り専用メモリ（ROM、Read-Only Memory）、ランダム・アクセス・メモリ（RAM、Random Access Memory）、磁気ディスク、または光ディスクなど、プログラムコードを記憶することができるいずれの媒体も含む。
【０１７８】
上記の記載は、本発明の特定の実施形態に過ぎないが、本発明の保護範囲を限定するように意図されるものではない。本発明に開示された技術範囲内で当業者によって容易に想起されるいずれの変更または置き換えも、本発明の保護範囲に含まれるものとする。したがって、本発明の保護範囲は、請求項の保護範囲に従属する。
【符号の説明】
【０１７９】
100  サービス制御実施システム
101  モビリティ管理エンティティ（MME)
102  E-UTRANノードB（eNodeB）
900  モビリティ管理エンティティ（MME）
901  制御ユニット
902  送信ユニット
903  受信ユニット
1000  E-UTRANノードB（eNodeB）
1001  受信ユニット
1002  制御ユニット
1100  移動通信交換局（MSC）
1101  受信ユニット
1102  制御ユニット
1103  送信ユニット
1200  モビリティ管理エンティティ（MME)
1201  第一制御ユニット
1202  第二制御ユニット
1203  第三制御ユニット
1204  受信ユニット
1300  モビリティ管理エンティティ（MME)
1301  プロセッサ
1302  送信器
1303  受信器
1400  E-UTRANノードB（eNodeB）
1401  受信器
1402  プロセッサ
1500  移動通信交換局（MSC）
1501  受信器
1502  プロセッサ
1503  送信器
1600  モビリティ管理エンティティ（MME)
1601  プロセッサ
1602  受信器
【図１】
2016513894.tif 000003
【図２】
2016513894.tif 000004
【図３】
2016513894.tif 000005
【図４】
2016513894.tif 000006
【図５】
2016513894.tif 000007
【図６】
2016513894.tif 000008
【図７】
2016513894.tif 000009
【図８】
2016513894.tif 000010
【図９】
2016513894.tif 000011
【図１０】
2016513894.tif 000012
【図１１】
2016513894.tif 000013
【図１２】
2016513894.tif 000014
【図１３】
2016513894.tif 000015
【図１４】
2016513894.tif 000016
【図１５】
2016513894.tif 000017
【図１６】
2016513894.tif 000018
【手続補正書】
【提出日】平成27年11月9日(2015.11.9)
【手続補正１】
【補正対象書類名】明細書
【補正対象項目名】全文
【補正方法】変更
【補正の内容】
【発明の詳細な説明】
【技術分野】
【０００１】
本明細書は、その全体が参照により本明細書に組み込まれる、2013年3月6日付けで中国特許庁に出願され、「CONGESTION CONTROL IMPLEMENTATION METHOD AND APPARATUS」と題された、中国特許出願第201310071325.4号の優先権を主張する。
【０００２】
本発明の実施形態は、無線通信技術の分野に関し、より具体的には、輻輳制御実装方法および装置に関する。
【背景技術】
【０００３】
技術の進歩とともに、ロング・ターム・エボリューション（Long Term Evolution、略して「LTE」）ネットワークによって確約された高帯域幅は、移動帯域幅成長のための大きな機械をもたらす。LTEデータサービスと比較して、ボイスオーバーLTE（Voice Over LTE、略して「VoLTE」）は、主にVoLTEはより高いサービス品質（quality-of-service、QoS）を必要とし、より低い遅延耐性を有するので、無線範囲リソースに対する高い要求を引き出す。加えて、VoLTEは、高精度の音声および動画符号化および復号をサポートするが、これはVolTEがより高い帯域幅要件を有することを意味し、VoLTEの帯域幅使用は、好ましくはLTEリソーススケジューリングによって保証される必要がある。上記の理由により、VoLTE加入者基盤の成長はLTEセルの範囲縮小を意味し、これによりセル輻輳が増加して、通話切断または通話制限などの現象が生じる。
【発明の概要】
【０００４】
本発明の実施形態は、VoLTEユーザの数が増加したときにLTEセル負荷を低減するような、輻輳制御実装方法および装置を提供する。
【課題を解決するための手段】
【０００５】
第一の態様によれば、本発明の実施形態は輻輳制御実装方法を提供し、方法は、モビリティ管理エンティティMMEによって実行され、単一無線音声通信継続SRVCCオフロードが行われる必要のある1つ以上のユーザ機器を決定するステップと、SRVCCハンドオーバ手順を起動するときにE-UTRANノードBが1つ以上のユーザ機器をロング・ターム・エボリューションLTEドメインから回線交換CSドメインに切り替えるように、1つ以上のユーザ機器が属するE-UTRANノードB eNodeBにSRVCCオフロードメッセージを送信するステップと、を含む。
【０００６】
第一の態様を参照すると、第一の可能な実施例において、1つ以上のユーザ機器を決定する前に、方法は、MMEがネットワーク輻輳状態にあると判断するステップをさらに含む。
【０００７】
第一の可能な実施例を参照すると、第二の可能な実施例において、MMEがネットワーク輻輳状態にあると判断するステップは、ネットワーク側装置によって送信されたセル輻輳情報にしたがってMMEがネットワーク輻輳状態にあると判断するステップであって、セル輻輳情報はセル輻輳レベルおよびセル情報を含む、ステップ、またはサービス品質クラス識別子QCIベアラ設定成功率に関する統計を収集し、QCIベアラ設定成功率が予め設定された閾値よりも低いときにMMEがネットワーク輻輳状態にあると判断するステップを、含む。
【０００８】
第一の態様または上記可能な実施例のいずれかを参照すると、第三の可能な実施例において、1つ以上のユーザ機器が属するE-UTRANノードB eNodeBにSRVCCオフロードメッセージを送信した後、方法は、オフロード指示を移動通信交換局MSCに送信するステップであって、MSCがSRVCCオフロードユーザ機器を管理および制御するように、1つ以上のユーザ機器はSRVCCオフロードがすでに行われたユーザ機器であることをMSCに通知するためにオフロード指示が使用される、ステップをさらに含む。
【０００９】
第一の態様または上記可能な実施例のいずれか1つを参照すると、第四の可能な実施例において、E-UTRANノードBが1つ以上のユーザ機器をLTEドメインからCSドメインに切り替えた後、方法は、
CSからLTEへの切り替えが必要とされるときに1つ以上のユーザ機器をCSドメインからLTEドメインに戻すよう切り替えるステップをさらに含む。
【００１０】
第二の態様によれば、本発明の実施形態は輻輳制御実装方法を提供し、方法はE-UTRANノードB eNodeBによって実行され、方法は、モビリティ管理エンティティMMEによって送信された単一無線音声通信継続SRVCCオフロードメッセージを受信するステップであって、SRVCCオフロードメッセージは、E-UTRANノードBによって支配される1つ以上のユーザ機器のためのSRVCCハンドオーバ手順を起動するように命令するために使用される、ステップと、SRVCCハンドオーバ手順が1つ以上のユーザ機器のために起動されたときに1つ以上のユーザ機器をロング・ターム・エボリューションLTEドメインから回線交換CSドメインに切り替えるステップと、を含む。
【００１１】
第二の態様を参照すると、第一の可能な実施例において、SRVCCハンドオーバ手順が1つ以上のユーザ機器のために起動される前に、方法は、1つ以上のユーザ機器のために接続モード測定を行うステップをさらに含む。
【００１２】
第三の態様によれば、本発明の実施形態はモビリティ管理エンティティMMEを提供し、これは、単一無線音声通信継続SRVCCオフロードが行われる必要がある1つ以上のユーザ機器を決定するように構成された、制御ユニットと、SRVCCハンドオーバ手順の間にE-UTRANノードBが1つ以上のユーザ機器をロング・ターム・エボリューションLTEドメインから回線交換CSドメインに切り替えるように、制御ユニットによって決定された1つ以上のユーザ機器が属するE-UTRANノードB eNodeBにSRVCCオフロードメッセージを送信するように構成された、送信ユニットと、を含む。
【００１３】
第三の態様を参照すると、第一の可能な実施例において、制御ユニットは、1つ以上のユーザ機器が決定される前に、MMEがネットワーク輻輳状態にあると判断するようにさらに構成されている。
【００１４】
第一の可能な実施例を参照すると、第二の可能な実施例において、MMEは、ネットワーク側装置によって送信されたセル輻輳情報を受信するように構成されており、セル輻輳情報はセル輻輳レベルおよびセル情報を含む、受信ユニットをさらに含み、制御ユニットは具体的には、受信ユニットによって受信されたセル輻輳情報にしたがって、MMEがネットワーク輻輳状態にあると判断するように構成されている。
【００１５】
第一の可能な実施例を参照すると、第三の可能な実施例において、制御ユニットは、サービス品質クラス識別子QCIベアラ設定成功率に関する統計を収集するようにさらに構成されており、制御ユニットは具体的には、QCIベアラ設定成功率が予め設定された閾値よりも低いときにMMEがネットワーク輻輳状態にあると判断するように構成されている。
【００１６】
第三の態様または上記可能な実施例のいずれか1つを参照すると、第四の可能な実施例において、送信ユニットは、オフロード指示を移動通信交換局MSCに送信するようにさらに構成されており、オフロード指示は、1つ以上のユーザ機器はSRVCCオフロードがすでに行われたユーザ機器であることをMSCに通知するために使用される。
【００１７】
第三の態様または上記可能な実施例のいずれか1つを参照すると、第五の可能な実施例において、制御ユニットは、CSからLTEへの切り替えが必要とされるときに1つ以上のユーザ機器をCSドメインからLTEドメインに切り替えるように、さらに構成されている。
【００１８】
第四の態様によれば、本発明の実施形態は、モビリティ管理エンティティMMEによって送信された単一無線音声通信継続SRVCCオフロードメッセージを受信するように構成された受信ユニットであって、SRVCCオフロードメッセージはE-UTRANノードBによって支配される1つ以上のユーザ機器のためのSRVCCハンドオーバ手順を起動するように命令するために使用される、受信ユニットと、受信ユニットによって受信されたSRVCCオフロードメッセージにしたがって、SRVCCハンドオーバ手順が1つ以上のユーザ機器によって起動されたときに1つ以上のユーザ機器をロング・ターム・エボリューションLTEドメインから回線交換CSドメインに切り替えるように構成された制御ユニットと、を含む、E-UTRANノードB eNodeBを提供する。
【００１９】
第四の態様を参照すると、第一の可能な実施例において、制御ユニットは、1つ以上のユーザ機器のための接続モード測定を行うようにさらに構成されており、制御ユニットは具体的には、接続モード測定の結果にしたがって、SRVCCハンドオーバ手順が1つ以上のユーザ機器のために起動されたときに1つ以上のユーザ機器をロング・ターム・エボリューションLTEドメインから回線交換CSドメインに切り替えるように構成されている。
【００２０】
本発明において提供された実施形態によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSは保証されることが可能である。
【００２１】
第五の態様によれば、本発明の実施形態は輻輳制御実装方法を提供し、方法は移動通信交換局MSCによって実行され、方法は、モビリティ管理エンティティMMEによって送信されたオフロード指示を受信するステップであって、オフロード指示は、1つ以上のユーザ機器は単一無線音声通信継続SRVCCオフロードがすでに行われたユーザ機器であることをMSCに通知するために使用される、ステップと、オフロード指示にしたがって1つ以上のユーザ機器を管理および制御するステップであって、オフロード指示にしたがって1つ以上のユーザ機器を管理および制御するステップは、1つ以上のユーザ機器によって行われた音声通話が終了したときに、基地局コントローラまたは無線ネットワークコントローラが1つ以上のユーザ機器をロング・ターム・エボリューションLTEドメインまで早戻しするように、クリアリングメッセージを使用することによって基地局コントローラまたは無線ネットワークコントローラにLTEドメイン復帰情報を送信するステップを含むステップと、を含む。
【００２２】
第五の態様を参照すると、第一の可能な実施例において、クリアリングメッセージを使用することによって基地局コントローラまたは無線ネットワークコントローラにLTEドメイン復帰情報を送信する前に、方法は、1つ以上のユーザ機器の音声通話フォールバックの課金データ記録に料金表示を追加するステップであって、料金表示はボイス・オーバー・ロング・ターム・エボリューションVoLTEユーザ機器と同じ料金制度を使用する、ステップをさらに含む。
【００２３】
第五の態様または第一の可能な実施例を参照すると、第二の可能な実施例において、クリアリングメッセージを使用することによって基地局コントローラまたは無線ネットワークコントローラにLTEドメイン復帰情報を送信する前に、方法は、1つ以上のユーザ機器が音声通話を行うときに、音声通話中に高速符号化および復号が使用されると判断するステップを、さらに含む。
【００２４】
第六の態様によれば、本発明は移動通信交換局MSCを提供し、これは、モビリティ管理エンティティMMEによって送信されたオフロード指示を受信するように構成された受信ユニットであって、オフロード指示は、1つ以上のユーザ機器は単一無線音声通信継続SRVCCオフロードがすでに行われたユーザ機器であることをMSCに通知するために使用される、受信ユニットと、受信ユニットによって受信されたオフロード指示にしたがってLTEドメイン復帰情報を決定するように構成された制御ユニットと、1つ以上のユーザ機器によって行われた音声通話が終了したときに、クリアリングメッセージを使用することによって基地局コントローラまたは無線ネットワークコントローラに、制御ユニットによって決定されたLTEドメイン復帰情報を送信するように構成された送信ユニットと、を含む。
【００２５】
第六の態様を参照すると、第一の可能な実施例において、制御ユニットは、受信ユニットによって受信されたオフロード指示にしたがって、送信ユニットがLTEドメイン復帰情報を送信する前に1つ以上のユーザ機器の音声通話フォールバックの課金データ記録に料金表示を追加するように、さらに構成されている。
【００２６】
第六の態様または第一の可能な実施例を参照すると、第二の可能な実施例において、制御ユニットは、送信ユニットがLTEドメイン復帰情報を送信する前に、受信ユニットによって受信されたオフロード指示にしたがって、1つ以上のユーザ機器によって行われる音声通話の間に高速符号化および復号が使用されると判断するように、さらに構成されている。
【００２７】
第七の態様によれば、本発明の実施形態は輻輳制御実装方法を提供し、方法は、モビリティ管理エンティティMMEによって実行され、単一無線音声通信継続SRVCCオフロードがすでに行われた1つ以上のユーザ機器を決定するステップと、1つ以上のユーザ機器を回線交換CSドメインからロング・ターム・エボリューションLTEドメインに切り替えるステップと、を含む。
【００２８】
第七の態様を参照すると、第一の可能な実施例において、1つ以上のユーザ機器を決定するステップの前に、方法は、MMEが正常ネットワーク状態にあると判断するステップを、さらに含む。
【００２９】
第一の可能な実施例を参照すると、第二の可能な実施例において、MMEが正常ネットワーク状態にあると判断するステップは、ネットワーク側装置によって送信されたセル輻輳情報にしたがって、MMEが正常ネットワーク状態にあると判断するステップであって、セル輻輳情報はセル輻輳レベルおよびセル情報を含む、ステップ、またはサービス品質クラス識別子QCIベアラ設定成功率に関する統計を収集し、QCIベアラ設定成功率が予め設定された閾値よりも高いときにMMEが正常ネットワーク状態にあると判断するステップを、含む。
【００３０】
第八の態様によれば、本発明の実施形態はモビリティ管理エンティティMMEを提供し、これは、単一無線音声通信継続SRVCCオフロードがすでに行われた1つ以上のユーザ機器を決定するように構成された第一制御ユニットと、第一制御ユニットによって決定された1つ以上のユーザ機器を回線交換CSドメインからロング・ターム・エボリューションLTEドメインに切り替えるように構成された第二制御ユニットと、を含む。
【００３１】
第八の態様を参照すると、第一の可能な実施例において、MMEは、MMEが正常ネットワーク状態にあると判断するように構成された第三制御ユニットを、さらに含む。
【００３２】
第一の可能な実施例を参照すると、第二の可能な実施例において、MMEは受信ユニットをさらに含み、受信ユニットはネットワーク側装置によって送信されたセル輻輳情報を受信するように構成されており、セル輻輳情報はセル輻輳レベルおよびセル情報を含み、第三制御ユニットは具体的には、受信ユニットによって受信されたセル輻輳情報にしたがって、MMEが正常ネットワーク状態にあると判断するように構成されている。
【００３３】
第一の可能な実施例を参照すると、第三の可能な実施例において、第三制御ユニットは、サービス品質クラス識別子QCIベアラ設定成功率に関する統計を収集するようにさらに構成されており、第三制御ユニットは具体的には、QCIベアラ設定成功率が予め設定された閾値よりも高いときに、MMEが正常ネットワーク状態にあると判断するように構成されている。
【００３４】
本発明において提供された実施形態によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器は、VoLTEユーザ機器からVoCSユーザ機器に切り替えられることが可能である。このようにして、LTEセル負荷は緩和され、1つ以上のユーザ機器が保証されることが可能である。
【００３５】
本発明の実施形態における技術的解決法をより明確に記載するために、実施形態および従来技術を記載するために必要とされる添付図面を、以下に簡潔に紹介する。明らかに、以下の記載における添付図面は本発明のいくつかの実施形態のみを示し、当業者は、創造的な努力を伴わずにこれらの添付図面から他の図面を導いてもよい。
【図面の簡単な説明】
【００３６】
【図１】本発明の実施形態による輻輳制御実装システムのアーキテクチャを示す、概略図である。
【図２】本発明の実施形態による輻輳制御実装方法の概略フローチャートである。
【図３】本発明の実施形態による輻輳制御実装方法の概略フローチャートである。
【図４】本発明の実施形態による輻輳制御実装方法の概略フローチャートである。
【図５】本発明の実施形態による輻輳制御実装方法の概略フローチャートである。
【図６】本発明の実施形態による別の輻輳制御実装方法の概略フローチャートである。
【図７】本発明の実施形態による別の輻輳制御実装方法の概略フローチャートである。
【図８】本発明の実施形態による輻輳制御実装方法の概略フローチャートである。
【図９】本発明の実施形態によるモビリティ管理エンティティの構造ブロック図である。
【図１０】本発明の実施形態によるE-UTRANノードBの構造ブロック図である。
【図１１】本発明の実施形態による移動通信交換局の構造ブロック図である。
【図１２】本発明の実施形態によるモビリティ管理エンティティの概略構造図である。
【図１３】本発明の実施形態によるモビリティ管理エンティティの構造ブロック図である。
【図１４】本発明の実施形態によるE-UTRANノードBの構造ブロック図である。
【図１５】本発明の実施形態による移動通信交換局の構造ブロック図である。
【図１６】本発明の実施形態によるモビリティ管理エンティティの概略構造図である。
【発明を実施するための形態】
【００３７】
以下、本発明の実施形態の図面を参照して、本発明の実施形態における技術的解決法を明確に記載する。明らかに、記載された実施形態は、本発明の実施形態の一部に過ぎず、そのすべてではない。創造的な努力を伴わずに本発明の実施形態に基づいて当業者によって得られるその他すべての実施形態は、本発明の保護範囲に含まれる。
【００３８】
本発明の実施形態の技術的解決法は、汎欧州デジタル移動電話方式（Global System for Mobile Communications、略して「GSM（登録商標）」）、符号分割多元接続（Code Division Multiple Access、略して「CDMA」）システム、高帯域符号分割多元接続（Wideband Code Division Multiple Access、略して「WCDMA（登録商標）」）システム、汎用パケット無線サービス（General Packet Radio Service、略して「GPRS」）、ロング・ターム・エボリューション（Long Term Evolution、略して「LTE」）システム、LTE周波数分割二重通信（Frequency Division Duplex、略して「FDD」）システム、LTE時間分割二重通信（Time Division Duplex、略して「TDD」）、ユニバーサル移動体通信システム（Universal Mobile Telecommunication System、略して「UMTS」）など、様々な通信システムに適用可能であることは、理解されるべきである。
【００３９】
ユーザ機器（User Equipment、UE）は、携帯端末（Mobile Terminal、MT）、携帯ユーザ機器などとも称されてよく、無線アクセスネットワーク（たとえば、Radio Access Network、RAN）を通じて1つ以上のコアネットワークと通信してもよい。ユーザ機器は、携帯電話（「セルラー」電話とも称される）または携帯端末を備えるコンピュータなどの携帯端末であってもよい。たとえば、ユーザ機器は、持ち運び可能な、ポケットサイズの、手持ち型の、コンピュータ組み込みの、または車両実装された、移動装置であってもよい。
【００４０】
図1は、本発明の実施形態による輻輳制御実施システムのアーキテクチャを示す概略図である。輻輳制御実施システム100は、モビリティ管理エンティティ（Mobility Management Entity、MME)101およびE-UTRANノードB（E-UTRAN NodeB、eNodeB）102を含む。
【００４１】
MME101は、SRVCCオフロードが行われる必要のある1つ以上のユーザ機器を決定するステップと、1つ以上のユーザ機器が属するE-UTRANノードB102にSRVCCオフロードメッセージを送信するステップであって、SRVCCオフロードメッセージはE-UTRANノードB102に1つ以上のユーザ機器のためのSRVCCハンドオーバ手順を起動するように命令するために使用されるステップと、を含む、単一無線音声通信継続（Single Radio Voice Call Continuity、SRVCC）オフロード手順を開始してもよい。
【００４２】
1つ以上のユーザ機器が属するE-UTRANノードB102はSRVCCオフロードメッセージを受信する。1つ以上のユーザ機器のための標準SRVCCハンドオーバ手順を起動するとき、E-UTRANノードB102は1つ以上のユーザ機器をLTEドメインから回線交換（Circuit Switched、CS）ドメインに切り替える。具体的には、E-UTRANノードB102がSRVCCオフロードメッセージを受信すると、E-UTRANノードB102は1つ以上のユーザ機器のためのSRVCCハンドオーバ手順を起動する。SRVCCハンドオーバ手順が1つ以上のユーザ機器のために順調に行われると、1つ以上のユーザ機器はVoLTEユーザ機器からボイスオーバーCS（Voice Over CS、VoCS）ユーザ機器に切り替えられ、通信のためにCSドメインを用いてもよい。
【００４３】
図1に示されるシステムによれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００４４】
図2は、本発明の実施形態による輻輳制御実装方法の概略フローチャートである。図2に示される方法は、MMEによって実行される。
【００４５】
201：SRVCCオフロードが行われる必要のある1つ以上のユーザ機器を決定する。
【００４６】
選択的に、MMEは、1つ以上のユーザ機器が決定される前に、MMEが輻輳状態にあるか否かをさらに判断してもよい。MMEが輻輳状態にあると画定されたとき、MMEは、1つ以上のユーザ機器がLTEドメインからCSドメインにオフロードされるように、SRVCCオフロードが行われる必要のある1つ以上のユーザ機器を決定する。
【００４７】
選択的に、MMEは、ネットワーク側装置によって送信されたセル輻輳情報にしたがって、MMEが輻輳状態にあると判断してもよく、ここでネットワーク側装置は輻輳制御センターであってもよく、あるいはE-UTRANノードB（eNodeB）であってもよい。MMEは、QoSクラス識別子（QoS Class Identifier、QCI）ベアラ設定成功率に関する統計をさらに収集し、QCIベアラ設定成功率にしたがってMMEが輻輳状態にあると判断してもよい。
【００４８】
MMEは、ステップ201の開始を決定するために、別の手段を使用してもよい。たとえば、MMEは、ユーザ機器または別のネットワーク側装置（基地局など）からの受信済み要求にしたがって、1つ以上のユーザ機器がCSドメインにオフロードされるように、SRVCCオフロードが行われる必要のある1つ以上のユーザ機器を決定してもよい。
【００４９】
202：SRVCCハンドオーバ手順を起動するときにE-UTRANノードBが1つ以上のユーザ機器をLTEドメインからCSドメインに切り替えるように、1つ以上のユーザ機器をサービスするE-UTRANノードB（eNodeB）にSRVCCオフロードメッセージを送信する。
【００５０】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器はVoLTEユーザ機器からVoCSユーザ機器に切り替えられ、通信のためにCSドメインを用いてもよい。
【００５１】
図2に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００５２】
図3は、本発明の実施形態による輻輳制御実装方法の概略フローチャートである。図3に示される方法は、E-UTRANノードBによって実行される。
【００５３】
301：MMEによって送信されたSRVCCオフロードメッセージを受信するが、ここでSRVCCオフロードメッセージは、E-UTRANノードBによって支配される1つ以上のユーザ機器のためのSRVCCハンドオーバ手順を起動するように命令するために使用される。
【００５４】
302：SRVCCハンドオーバ手順が1つ以上のユーザ機器のために起動されたときに1つ以上のユーザ機器をLTEドメインからCSドメインに切り替える。
【００５５】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器はVoLTEユーザ機器からVoCSユーザ機器に切り替えられ、通信のためにCSドメインを用いてもよい。
【００５６】
図3に示される方法によれば、E-UTRANノードBがMMEによって送信されたSRVCCオフロードメッセージを受信すると、E-UTRANノードBは1つ以上のUEのためのSRVCCハンドオーバ手順を起動してもよい。SRVCCハンドオーバ手順が順調に行われると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００５７】
図4は、本発明の実施形態による輻輳制御実装方法の概略フローチャートである。図4に示される方法は、移動通信交換局（Mobile Switching Center、MSC)によって実行される。
【００５８】
401：MMEによって送信されたオフロード指示を受信するが、ここでオフロード指示は、1つ以上のユーザ機器はSRVCCオフロードがすでに行われたユーザ機器であることを通知するために使用される。
【００５９】
402：オフロード指示にしたがって1つ以上のユーザ機器を管理および制御する。
【００６０】
オフロード指示にしたがって1つ以上のユーザ機器を管理および制御するステップは、1つ以上のユーザ機器の音声通話が終了したときに、BSCまたはRNCが1つ以上のユーザ機器をロング・ターム・エボリューションLTEドメインに早戻しするように、クリアリングメッセージを使用することによって基地局コントローラ（Base Station Controller、BSC)または無線ネットワークコントローラ（Radio Network Controller、RNC)にLTEドメイン復帰情報を送信するステップを含む。
【００６１】
選択的に、LTEドメイン復帰情報は、第四世代（4 Generation、4G）公衆陸上移動ネットワーク（Public Land Mobile Network、PLMN）情報および早戻し指示を含んでもよい。
【００６２】
図4に示される方法によれば、MSCは、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCはユーザ機器をLTEネットワークまで早戻しすることができる。
【００６３】
図5は、本発明の実施形態による輻輳制御実装方法の概略フローチャートである。
【００６４】
選択的に、一実施形態において、輻輳制御センターはステップ501を実行することによってセル輻輳情報を取得してもよい。
【００６５】
501：輻輳制御センターはE-UTRANノードB（eNodeB）によって送信されたセル輻輳情報を受信し、セル輻輳情報はセル輻輳レベルおよびセル情報を含む。
【００６６】
具体的には、E-UTRANノードBはセルの負荷情報を周期的に検出してもよく、負荷情報は、無線インターフェース物理リソースブロック（Physical Resource Block、PRB）利用率、VoLTE通話設定成功率、およびVoLTEベアラのIP QoSレベルなどの情報を含む。検出結果にしたがって、セルのセル輻輳レベルが決定される。E-UTRANノードBは、セル輻輳レベルおよびセル情報を搬送するセル輻輳情報を輻輳制御センターに送信するが、セル情報はE-UTRANセルグローバル識別子（E-UTRAN Cell Global Identifier、eCGI）であってもよい。
【００６７】
選択的に、別の実施形態において、輻輳制御センターは、ステップ502およびステップ503を実行することによって、セル輻輳情報をさらに取得してもよい。
【００６８】
502：輻輳制御センターは、セッション・ボーダ・コントローラ（Session Boarder Controller、SBC）またはパケット・データ・ネットワーク（Packet Data Network、PDN）ゲートウェイ（PDN Gateway、P-GW）からLTEセルの負荷情報およびセル情報を受信するが、負荷情報は、PRB利用率、VoLTE通話設定成功率、およびVoLTEベアラのIP QoSレベルなどの情報を含み、セル情報はeCGIであってもよい。
【００６９】
具体的には、SBCは通話サンプリングによって負荷情報を収集してもよい。P-GWは、アプリケーション層情報を構文解析してアプリケーション層情報から負荷情報を導くために、ディープ・パケット・インスペクション（Deep Packet Inspection、DPI）を行ってもよい。
【００７０】
503：輻輳制御センターは、LTEセルの負荷情報にしたがって、LTEドメインセルのセル輻輳レベルを決定する。
【００７１】
ステップ501が実行されたときまたはステップ502およびステップ503が実行されたとき、MMEが輻輳制御センターからセル輻輳レベルおよびセル情報を取得するように、ステップ504が実行されてもよい。
【００７２】
504：輻輳制御センターはセル輻輳レベルおよびセル情報をMMEに送信する。
【００７３】
選択的に、輻輳制御センターは、輻輳セルリストの形態でMMEにセル輻輳レベルおよびセル情報を送信してもよい。
【００７４】
505：MMEは、セル輻輳レベルにしたがってMMEが輻輳状態にあると判断する。たとえば、セル輻輳レベルが予め設定された条件に適合しているとき、MMEは、MMEが輻輳状態にあると判断する。
【００７５】
ステップ501およびステップ505は任意のステップであることに注意すべきである。ステップ501からステップ505までを実行することによって、1つ以上のユーザ機器がCSドメインにオフロードされるように、MMEが輻輳状態にあるときにSRVCCオフロード手順を開始するように判断されてもよい。MMEがSRVCCオフロード手順の開始を判断するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【００７６】
506：MMEは、SRVCCオフロードが行われる必要のある1つ以上のユーザ機器を決定する。
【００７７】
具体的には、MMEは、1つ以上のユーザ機器の優先順位、位置情報、待ち受けセル、現在のサービス状態、および能力などの情報にしたがって、1つ以上のユーザ機器を決定してもよい。
【００７８】
選択的に、MMEは、必要なときに1つ以上のユーザ機器をCSドメインからLTEドメインに戻すよう切り替えてもよい。
【００７９】
具体的には、1つ以上のユーザ機器を決定するときに、MMEは、1つ以上のユーザ機器がVoLTEユーザ機器を用いる必要があるときに1つ以上のユーザ機器はマーカによって迅速に識別されてVoLTEユーザ機器を利用できるように、ユーザ機器として1つ以上のユーザ機器をさらに標識してもよい
【００８０】
507：MMEは、SRVCCハンドオーバ手順を起動するときに1つ以上のユーザ機器をサービスするE-UTRANノードBが1つ以上のユーザ機器をLTEドメインからCSドメインに切り替えるように、1つ以上のユーザ機器が属するE-UTRANノードB（eNodeB）にSRVCCオフロードメッセージを送信する。
【００８１】
具体的には、SRVCCオフロードメッセージを使用することによって、オフロードが行われる必要のある1つ以上のユーザ機器に、1つ以上のユーザ機器が属するE-UTRANノードBを通知してもよい。
【００８２】
選択的に、ステップ509が実行される前に、SRVCCハンドオーバが成功する可能性を増加させるために、ステップ508がさらに実行されてもよい。
【００８３】
508：1つ以上のユーザ機器が属するE-UTRANノードBがSRVCCオフロードメッセージを受信すると、E-UTRANノードBは1つ以上のユーザ機器の接続モード測定を行い、たとえばこれは、隣接セルの周波数および信号品質などの情報を測定し、隣接セルは2Gセルまたは3Gセルである。このように、SRVCCハンドオーバ手順が1つ以上のユーザ機器のために行われるとき、測定の結果にしたがって標的セルが選択されてもよく（たとえば、信号品質が高い方のセルが選択される）、これにより、SRVCCハンドオーバが成功する可能性を増加させる。
【００８４】
509：1つ以上のユーザ機器が属するE-UTRANノードBは、1つ以上のユーザ機器のためにSRVCCハンドオーバ手順が起動されている間に、1つ以上のユーザ機器をLTEドメインからCSドメインに切り替える。あるいは、ステップ508がすでに実行されているとき、1つ以上のユーザ機器が属するE-UTRANノードBは、接続モード測定の結果にしたがって、1つ以上のユーザ機器のためのSRVCCハンドオーバ手順を起動するときに1つ以上のユーザ機器をLTEドメインからCSドメインに切り替える。
【００８５】
具体的には、E-UTRANノードBがSRVCCオフロードメッセージを受信すると、E-UTRANノードBは1つ以上のユーザ機器のためのSRVCCハンドオーバ手順を起動する。SRVCCハンドオーバ手順が順調に行われると、1つ以上のユーザ機器は、VoLTEユーザ機器からVoCSユーザ機器に切り替えられ、通信用にCSドメインを用いてもよい。SRVCCオフロードは、LTEセルの負荷を低減し、ユーザ機器を通信のためにVoLTEからVoCSに切り替えられるようにし、こうしてQoSおよびユーザ経験を向上させる。
【００８６】
510：MMEはMSCにオフロード指示をさらに送信し、ここでオフロード指示は、1つ以上のユーザ機器はSRVCCオフロードがすでに行われたユーザ機器であることを、MSCに通知するために使用される。これは、MSCが1つ以上のSRVCCオフロードユーザ機器を管理および制御するように、行われる。
【００８７】
具体的には、MMEは、オフロード指示を搬送するために、Svインターフェース上のPS to CS HO reqメッセージを使用してもよい。MSCは、オフロード指示にしたがって、SRVCCオフロードがすでに行われた1つ以上のユーザ機器を管理および制御してもよい。
【００８８】
具体的には、オフロード指示に応じたMSCによる、1つ以上のSRVCCオフロードユーザ機器の管理および制御の実践は以下を含む：1つ以上のユーザ機器の音声通話が終了したときに、BSCまたはRNCが1つ以上のユーザ機器をLTEドメインに早戻しするように、MSCは、クリアリングメッセージを使用することによって、BSCまたはRNCにLTEドメインを送信してもよい。
【００８９】
BSCまたはRNCにLTEドメイン復帰情報を送信する前に、MSCは1つ以上のユーザ機器の音声通話フォールバックのための課金データ記録に料金表示をさらに追加してもよく、料金表示は、1つ以上のユーザ機器がVoLTEユーザ機器と同じ料金制度を使用することを示すために使用される。
【００９０】
一貫した料金制度を適用することで、SRVCCオフロードが1つ以上のユーザ機器のために行われるときにユーザ経験が損なわれることを防止する。
【００９１】
BSCまたはRNCにLTEドメイン復帰情報を送信する前に、MSCは、1つ以上のユーザ機器が音声通話を行うときに、音声通話中に高速符号化および復号が使用されることを、さらに決定してもよい。
【００９２】
図5に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００９３】
図6は、本発明の実施形態による別の輻輳制御実装方法の概略フローチャートである。
【００９４】
601：MMEはE-UTRANノードB（eNodeB）によって送信されたセル輻輳情報を受信し、セル輻輳情報はセル輻輳レベルおよびセル情報を含む。
【００９５】
具体的には、E-UTRANノードB（eNodeB）はセルの負荷情報を周期的に検出してもよく、負荷情報は、無線インターフェースPRB利用率、VoLTE通話設定成功率、およびVoLTEベアラのIP QoSレベルなどの情報を含む。検出の結果にしたがって、セルのセル輻輳レベルが決定される。E-UTRANノードBは、セル輻輳レベルおよびセル情報を搬送するセル輻輳情報をMMEに周期的に送信してもよく、セル情報はeCGIであってもよい。
【００９６】
ステップ601は任意のステップであってもよく、MMEが輻輳状態にあるとき、ステップ601を実行することによって、1つ以上のユーザ機器がCSドメインにオフロードされるように、SRVCCオフロード手順を開始すべきであると判断されてもよいことに、注意すべきである。MMEがSRVCCオフロード手順の開始を決定するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【００９７】
ステップ602からステップ607は、ステップ内で行われる具体的な動作およびステップが任意で有るか否かに関して、図5に示されるステップ505からステップ510と同じである。したがって、詳細は本明細書内で繰り返し記載されない。
【００９８】
図6に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【００９９】
図7は、本発明の実施形態による別の輻輳制御実装方法の概略フローチャートである。
【０１００】
701：MMEはQoSクラス識別子（QoS Class Identifier、QCI）ベアラ設定成功率に関する統計を収集し、QCIベアラ設定成功率が予め設定された閾値よりも低いときに、MMEが輻輳状態にあると判断する。
【０１０１】
ステップ701は任意ステップであってもよいことに、注意すべきである。ステップ701を実行することによって、1つ以上のユーザ機器がCSドメインにオフロードされるように、MMEが輻輳状態にあるときにSRVCCオフロード手順が開始されると判断してもよい。MMEがSRVCCオフロード手順の開始を決定するために別の手段を使用してもよいことは、理解される。たとえば、MMEは、ユーザ機器または別のネットワーク側装置（基地局など）からの受信済み要求にしたがって、1つ以上のユーザ機器がCSドメインにオフロードされるように、SRVCCオフロード手順を開始すべきであると判断してもよい。
【０１０２】
ステップ702からステップ706は、ステップ内で行われる具体的な動作およびステップが任意で有るか否かに関して、図5に示されるステップ506からステップ510と同じである。したがって、詳細は本明細書内で繰り返し記載されない。
【０１０３】
図7に示される方法によれば、MMEは、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１０４】
図8は、本発明の実施形態による輻輳制御実装方法の概略フローチャートである。図8に示される方法はMMEによって実行される。
【０１０５】
801：SRVCCオフロードがすでに行われた1つ以上のユーザ機器を決定する。
【０１０６】
選択的に、MMEは、SRVCCオフロードが1つ以上のユーザ機器のために行われたときに生成されるマーカにしたがって、1つ以上のユーザ機器を決定してもよい。
【０１０７】
選択的に、1つ以上のユーザ機器が決定される前に、MMEは、MMEが正常状態にあることをさらに判断してもよい。
【０１０８】
具体的には、MMEは、輻輳制御センターによって送信されたセル輻輳レベルおよびセル情報にしたがって、MMEが正常状態にあると判断してもよい。MMEはまた、QCIベアラ設定成功率に関する統計を収集してもよく、QCIベアラ設定成功率が予め設定された閾値よりも高いときに、MMEが正常状態にあると判断してもよい。具体的なステップは、図5に示されるステップ501からステップ504、図6に示されるステップ601、および図7に示されるステップ701と類似であり、詳細は本明細書内で繰り返し記載されない。
【０１０９】
MMEがステップ801の開始を決定するために別の手段を使用してもよいことは、理解される。たとえば、MMEは、ユーザ機器または別のネットワーク側装置（基地局など）からの受信済み要求にしたがって、1つ以上のユーザ機器がVoLTEユーザ機器として回復されるように、SRVCCオフロードがすでに行われた1つ以上のユーザ機器を決定してもよい。
【０１１０】
802：1つ以上のユーザ機器をCSドメインからLTEドメインに切り替える。
【０１１１】
ユーザ機器がCSドメインからLTEドメインに切り替えられると、ユーザ機器がVoLTEユーザ機器として回復されたことを示すことに、注意すべきである。
【０１１２】
図8に示される方法によれば、MMEは、ユーザ機器にVoLTEユーザ機器と同じユーザ経験が提供されるように、SRVCCオフロードがすでに行われたユーザ機器をVoLTEユーザ機器として回復してもよい。
【０１１３】
図9は、本発明の実施形態によるモビリティ管理エンティティの構造ブロック図である。図9に示されるモビリティ管理エンティティ（Mobility Management Entity、MME）900は、図1、図2、および図5から図7のMMEによって実行される各ステップを実行することができる。MME900は、制御ユニット901および送信ユニット902を含む。
【０１１４】
制御ユニット901は、SRVCCオフロードが行われる必要のある1つ以上のユーザ機器を決定するように構成されている。
【０１１５】
送信ユニット902は、SRVCCハンドオーバ手順を起動するときに、E-UTRANノードBが1つ以上のユーザ機器をLTEドメインからCSドメインに切り替えるように、制御ユニット901によって決定された1つ以上のユーザ機器をサービスするE-UTRANノードB（eNodeB）にSRVCCオフロードメッセージを送信するように構成されている。
【０１１６】
図9に示されるMME900は、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１１７】
選択的に、制御ユニット901は、1つ以上のユーザ機器が決定される前に、MMEが輻輳状態にあると判断するように、さらに構成されている。
【０１１８】
選択的に、MME900は、受信ユニット903をさらに含んでもよい。受信ユニット903はネットワーク側装置によって送信されたセル輻輳情報を受信するように構成されており、セル輻輳情報はセル輻輳レベルおよびセル情報を含む。制御ユニット901は、セル輻輳情報にしたがって、MME900が輻輳状態にあると判断するように、明確に構成されている。
【０１１９】
選択的に、制御ユニット901は、QCIベアラ設定成功率に関する統計を収集するように、さらに構成されてもよい。制御ユニット901は、QCIベアラ設定成功率が予め設定された閾値よりも低いときに、MMEが輻輳状態にあると判断するように、明確に構成されている。
【０１２０】
選択的に、送信ユニット902はMSCにオフロード指示を送信するようにさらに構成されており、オフロード指示は、1つ以上のユーザ機器はSRVCCオフロードがすでに行われたユーザ機器であることをMSCに通知するために、使用される。これは、MSCが、SRVCCオフロードがすでに行われたユーザ機器を管理および制御するように、行われる。
【０１２１】
選択的に、制御ユニット901は、必要なときに1つ以上のユーザ機器をCSドメインからLTEドメインに戻すよう切り替えるように、構成されてもよい。具体的には、1つ以上のユーザ機器が決定されると、制御ユニット901は、1つ以上のユーザ機器がVOLTEユーザ機器として回復される必要があるときに1つ以上のユーザ機器が迅速かつ正確に決定されることが可能なように、1つ以上のユーザ機器をSRVCCオフロードユーザ機器として標識するように、さらに構成されてもよい。
【０１２２】
図10は、本発明の実施形態によるE-UTRANノードBの構造ブロック図である。E-UTRANノードB（eNodeB）1000は、図1、図3、および図5から図7のE-UTRANノードBによって実行される各ステップを実行してもよい。図10に示されるように、E-UTRANノードB1000は、受信ユニット1001および制御ユニット1002を含む。
【０１２３】
受信ユニット1001は、MMEによって送信されたSRVCCオフロードメッセージを受信するように構成されており、SRVCCオフロードメッセージは、E-UTRANノードB1000によって支配される1つ以上のユーザ機器のためのSRVCCハンドオーバ手順を起動するように命令するために、使用される。
【０１２４】
制御ユニット1002は、受信ユニット1001によって受信されたSRVCCオフロードメッセージにしたがって、SRVCCハンドオーバ手順が1つ以上のユーザ機器のために起動されたときに、1つ以上のユーザ機器をLTEドメインからCSドメインに切り替えるように、構成されている。
【０１２５】
図10に示されるE-UTRANノードB1000がMMEによって送信されたSRVCCオフロードメッセージを受信すると、E-UTRANノードB1000は1つ以上のユーザ機器のためのSRVCCハンドオーバ手順を起動してもよい。SRVCCハンドオーバ手順が順調に行われると、1つ以上のユーザ機器は、VoLTEユーザ機器からVoCSユーザ機器に切り替えられることが可能である。このようにして、LTEセル負荷は緩和され、1つ以上のユーザ機器のQoSが保証されることが可能である。
【０１２６】
選択的に、制御ユニット1002は、受信ユニット1001がSRVCCオフロードメッセージを受信すると、たとえば隣接セルの周波数および信号品質などの情報を測定する、1つ以上のユーザ機器のための接続モード測定を行うように、さらに構成されてもよく、隣接セルは2Gセルまたは3Gセルである。制御ユニット1002は、接続モード測定の結果にしたがって、SRVCCハンドオーバ手順が1つ以上のユーザ機器のために起動されたときに1つ以上のユーザ機器をLTEドメインからCSドメインに切り替えるように、明確に構成されている。
【０１２７】
図11は、本発明の実施形態による移動通信交換局の構造ブロック図である。MSC1100は、図4から図7のMSCによって実行される各ステップを実行してもよい。図11に示されるように、MSC1100は、受信ユニット1101、制御ユニット1102、および送信ユニット1103を含む。
【０１２８】
受信ユニット1101はMMEによって送信されたオフロード指示を受信するように構成されており、オフロード指示は、1つ以上のユーザ機器はSRVCCオフロードがすでに行われたユーザ機器であることをMSCに通知するために、使用される。
【０１２９】
制御ユニット1102は、オフロード指示にしたがって1つ以上のユーザ機器を管理および制御するように構成されている。
【０１３０】
具体的には、制御ユニット1102は、受信ユニット1101によって受信されたオフロード指示にしたがってLTEドメイン復帰情報を決定するように、構成されている。送信ユニット1103は、1つ以上のユーザ機器の音声通話が終了すると、BSCまたはRNCが1つ以上のユーザ機器をロング・ターム・エボリューションLTEドメインに早戻しするように、制御ユニット1102によって決定されたLTEドメイン復帰情報を、クリアリングメッセージを使用することによってBSCまたはRNCに送信するように、構成されている。
【０１３１】
選択的に、LTEドメイン復帰情報は、4G PLMN情報および早戻し指示を含んでもよい。
【０１３２】
図11に示されるMSC1100は、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCは、ユーザをLTEネットワークまで早戻しすることができる。
【０１３３】
選択的に、制御ユニット1102は、受信ユニット1101によって受信されたオフロード指示にしたがって、送信ユニット1103がLTEドメイン復帰情報を送信する前に、1つ以上のユーザ機器の音声通話フォールバックの課金データ記録に料金表示を追加するように、さらに構成されており、料金表示は、1つ以上のユーザ機器がVoLTEユーザ機器と同じ料金制度を使用することを示すために使用される。
【０１３４】
一貫した料金制度を適用することで、SRVCCオフロードが1つ以上のユーザ機器のために行われるときにユーザ経験が損なわれることを防止する。
【０１３５】
選択的に、1つ以上のユーザ機器が音声通話を行うとき、制御ユニット1102は、送信ユニット1103がLTEドメイン復帰情報を送信する前に、受信ユニット1101によって受信されたオフロード指示にしたがって、音声通話中に高速符号化および復号が使用されることを決定するように、さらに構成されている。
【０１３６】
図12は、本発明の実施形態によるモビリティ管理エンティティの概略構造図である。MME1200は、図8に示されるMMEによって実行される各ステップを実行してもよい。図12に示されるように、MME1200は、第一制御ユニット1201および第二制御ユニット1202を含む。
【０１３７】
第一制御ユニット1201は、SRVCCオフロードがすでに行われた1つ以上のユーザ機器を決定するように構成されている。
【０１３８】
選択的に、第一制御ユニット1201は、SRVCCオフロードが1つ以上のユーザ機器のために行われたときに生成されたマーカにしたがって、1つ以上のユーザ機器を決定してもよい。
【０１３９】
第二制御ユニット1202は、第一制御ユニット1201によって決定された1つ以上のユーザ機器を、CSドメインからLTEドメインに切り替えるように構成されている。
【０１４０】
ユーザ機器がCSドメインからLTEドメインに切り替えられると、ユーザ機器はVoLTEユーザ機器として回復されることを示すことに、注意すべきである。
【０１４１】
図12に示されるMME1200は、ユーザ機器にVoLTEユーザ機器と同じユーザ経験が提供されるように、SRVCCオフロードがすでに行われたユーザ機器をVoLTEユーザ機器として回復させてもよい。
【０１４２】
選択的に、MME1200は、第三制御ユニット1203をさらに含んでもよい。第三制御ユニット1203は、第一制御ユニット1201が1つ以上のユーザ機器を決定する前に、MMEが正常状態にあると判断するように構成されてもよい。具体的には、MME1200は、ネットワーク側装置によって送信されたセル輻輳情報を受信するように構成された受信ユニット1204をさらに含んでもよく、セル輻輳情報はセル輻輳レベルおよびセル情報を含み、第三制御ユニット1203は、セル輻輳情報にしたがって、MMEが正常状態にあると判断するように、明確に構成されている。あるいは、第三制御ユニット1203は、QCIベアラ設定成功率に関する統計を収集するようにさらに構成されてもよく、第三制御ユニット1203は、QCIベアラ設定成功率が予め設定された閾値よりも高いときに、MMEが正常状態にあると判断するように、明確に構成されている。
【０１４３】
図13は、本発明の実施形態によるモビリティ管理エンティティの構造ブロック図である。図13に示されるモビリティ管理エンティティ（Mobility Management Entity、MME）1300は、図1、図2、および図5から図7のMMEによって実行される各ステップを実行することができる。MME1300は、プロセッサ1301および送信器1302を含む。
【０１４４】
プロセッサ1301は、SRVCCオフロードが行われる必要のある1つ以上のユーザ機器を決定するように構成されている。
【０１４５】
送信器1302は、SRVCCハンドオーバ手順を起動するときに、E-UTRANノードBが1つ以上のユーザ機器をLTEドメインからCSドメインに切り替えるように、プロセッサ1301によって決定された1つ以上のユーザ機器をサービスするE-UTRANノードB（eNodeB）にSRVCCオフロードメッセージを送信するように、構成されている。
【０１４６】
図13に示されるMME1300は、SRVCCオフロードメッセージを使用することによって、1つ以上のユーザ機器が属するE-UTRANノードBに、SRVCCハンドオーバ手順を起動するように命令することができる。SRVCCハンドオーバ手順が完了すると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１４７】
選択的に、プロセッサ1301は、1つ以上のユーザ機器が決定される前に、MMEが輻輳状態にあると判断するように、さらに構成されている。
【０１４８】
選択的に、MME1300は、受信器1303をさらに含んでもよい。受信器1303はネットワーク側装置によって送信されたセル輻輳情報を受信するように構成されており、セル輻輳情報はセル輻輳レベルおよびセル情報を含む。プロセッサ1301は、セル輻輳情報にしたがって、MME1300が輻輳状態にあると判断するように、明確に構成されている。
【０１４９】
選択的に、プロセッサ1301は、QCIベアラ設定成功率に関する統計を収集するように、さらに構成されている。プロセッサ1301は、QCIベアラ設定成功率が予め設定された閾値よりも低いときに、MMEが輻輳状態にあると判断するように、明確に構成されている。
【０１５０】
選択的に、送信器1302はMSCにオフロード指示を送信するようにさらに構成されており、オフロード指示は、MSCが1つ以上のSRVCCオフロードユーザ機器を管理および制御するように、1つ以上のユーザ機器はSRVCCオフロードがすでに行われたユーザ機器であることをMSCに通知するために使用される。
【０１５１】
選択的に、プロセッサ1301は、必要なときに1つ以上のユーザ機器をCSドメインからLTEドメインに戻すよう切り替えるように、構成されてもよい。具体的には、1つ以上のユーザ機器が決定されると、プロセッサ1301は、1つ以上のユーザ機器がVOLTEユーザ機器として回復される必要があるときに1つ以上のユーザ機器が迅速かつ正確に決定されるように、1つ以上のユーザ機器をSRVCCオフロードユーザ機器として標識するように、さらに構成されてもよい。
【０１５２】
図14は、本発明の実施形態によるE-UTRANノードBの構造ブロック図である。E-UTRANノードB（eNodeB）1400は、図1、図3、および図5から図7のE-UTRANノードBによって実行される各ステップを実行してもよい。図14に示されるように、E-UTRANノードB1400は、受信器1401およびプロセッサ1402を含む。
【０１５３】
受信器1401はMMEによって送信されたSRVCCオフロードメッセージを受信するように構成されており、SRVCCオフロードメッセージは、E-UTRANノードB1400によって支配される1つ以上のユーザ機器のためのSRVCCハンドオーバ手順を起動するように命令するために、使用される。
【０１５４】
プロセッサ1402は、受信器1401によって受信されたSRVCCオフロードメッセージにしたがって、SRVCCハンドオーバ手順が1つ以上のユーザ機器のために起動されるときに1つ以上のユーザ機器をLTEドメインからCSドメインに切り替えるように、構成されている。
【０１５５】
図14に示されるE-UTRANノードB1400がMMEによって送信されたSRVCCオフロードメッセージを受信すると、E-UTRANノードB1400は、1つ以上のユーザ機器のためにSRVCCハンドオーバ手順を起動してもよい。SRVCCハンドオーバ手順が順調に行われると、1つ以上のユーザ機器はVoLTEユーザ機器からVoCSユーザ機器に切り替えられることが可能である。このようにして、LTEセル負荷は緩和され、1つ以上のユーザ機器のQoSが保証されることが可能である。
【０１５６】
選択的に、プロセッサ1402は、受信器1401がSRVCCオフロードメッセージを受信したときに、たとえば隣接セルの周波数および信号品質などの情報を測定する、1つ以上のユーザ機器のための接続モード測定を行うように、さらに構成されてもよく、隣接セルは2Gセルまたは3Gセルである。プロセッサ1402は、接続モード測定の結果にしたがって、SRVCCハンドオーバ手順が1つ以上のユーザ機器のために起動されたときに1つ以上のユーザ機器をLTEドメインからCSドメインに切り替えるように、明確に構成されている。
【０１５７】
図15は、本発明の実施形態による移動通信交換局の構造ブロック図である。MSC1500は、図4から図7のMSCによって実行される各ステップを実行してもよい。図15に示されるように、MSC1500は、受信器1501、プロセッサ1502、および送信器1503を含む。
【０１５８】
受信器1501はMMEによって送信されたオフロード指示を受信するように構成されており、オフロード指示は、1つ以上のユーザ機器はSRVCCオフロードがすでに行われたユーザ機器であることをMSCに通知するために、使用される。
【０１５９】
プロセッサ1502は、オフロード指示にしたがって1つ以上のユーザ機器を管理および制御するように構成されている。
【０１６０】
具体的には、プロセッサ1502は、受信器1501によって受信されたオフロード指示にしたがってLTEドメイン復帰情報を決定するように、構成されている。送信器1503は、1つ以上のユーザ機器の音声通話が終了すると、BSCまたはRNCが1つ以上のユーザ機器をロング・ターム・エボリューションLTEドメインに早戻しするように、プロセッサ1542によって決定されたLTEドメイン復帰情報を、クリアリングメッセージを使用することによってBSCまたはRNCに送信するように、構成されている。
【０１６１】
選択的に、LTEドメイン復帰情報は、4G PLMN情報および早戻し指示を含んでもよい。
【０１６２】
図15に示されるMSC1500は、SRVCCオフロードがすでに行われたユーザ機器を認知し、ユーザ機器の音声通話が終了したときに送られるクリアリングメッセージに復帰情報を追加し、BSCまたはRNCにおいて早戻し手順を起動するようにBSCまたはRNCにクリアリングメッセージを送信してもよい。このようにして、BSCまたはRNCは、ユーザをLTEネットワークまで早戻しすることができる。
【０１６３】
選択的に、プロセッサ1502は、受信器1501によって受信されたオフロード指示にしたがって、送信器1503がLTEドメイン復帰情報を送信する前に、1つ以上のユーザ機器の音声通話フォールバックの課金データ記録に料金表示を追加するように、さらに構成されたおり、料金表示は、1つ以上のユーザ機器がVoLTEユーザ機器と同じ料金制度を使用することを示すために使用される。一貫した料金制度を適用することで、SRVCCオフロードが1つ以上のユーザ機器のために行われるときにユーザ経験が損なわれることを防止する。
【０１６４】
選択的に、1つ以上のユーザ機器が音声通話を行うとき、プロセッサ1502は、送信器1503がLTEドメイン復帰情報を送信する前に、受信器1501によって受信されたオフロード指示にしたがって、音声通話中に高速符号化および復号が使用されることを決定するように、さらに構成されている。
【０１６５】
図16は、本発明の実施形態によるモビリティ管理エンティティの概略構造図である。MME1600は、図8に示されるMMEによって実行される各ステップを実行してもよい。図16に示されるように、MME1600は、プロセッサ1601を含む。
【０１６６】
プロセッサ1601は、SRVCCオフロードがすでに行われた1つ以上のユーザ機器を決定するように構成されている。
【０１６７】
選択的に、プロセッサ1601は、SRVCCオフロードが1つ以上のユーザ機器のために行われたときに生成されたマーカにしたがって、1つ以上のユーザ機器を決定してもよい。
【０１６８】
プロセッサ1601は、1つ以上のユーザ機器をCSドメインからLTEドメインに切り替えるように、さらに構成されている。
【０１６９】
ユーザ機器がCSドメインからLTEドメインに切り替えられると、ユーザ機器はVoLTEユーザ機器として回復されることを示すことに、注意すべきである。
【０１７０】
図16に示されるMME1600は、ユーザ機器にVoLTEユーザ機器と同じユーザ経験が提供されるように、SRVCCオフロードがすでに行われたユーザ機器をVoLTEユーザ機器として回復させてもよい。
【０１７１】
選択的に、プロセッサ1601が1つ以上のユーザ機器を決定する前に、プロセッサ1601は、MMEが正常状態にあると判断するように、さらに構成されてもよい。具体的には、MME1600は、ネットワーク側装置によって送信されたセル輻輳情報を受信するように構成された受信器1602をさらに含んでもよく、セル輻輳情報はセル輻輳レベルおよびセル情報を含み、プロセッサ1601は、セル輻輳情報にしたがって、MMEが正常状態にあると判断するように、明確に構成されている。あるいは、プロセッサ1601は、QCIベアラ設定成功率に関する統計を収集するようにさらに構成されてもよく、プロセッサ1601は、QCIベアラ設定成功率が予め設定された閾値よりも高いときに、MMEが正常状態にあると判断するように、明確に構成されている。
【０１７２】
当業者は、本明細書に開示された実施形態に記載された例と組み合わせて、ユニットおよびアルゴリズムステップが、電子ハードウェア、またはコンピュータソフトウェアと電子ハードウェアとの組み合わせによって実施されてもよいことを、認識するだろう。機能がハードウェアまたはソフトウェアのいずれによって行われるかは、特定用途および技術的解決法の設計制約条件に依存する。当業者は、各特定用途について記載された機能を実施するために異なる方法を使用してもよいが、しかし実施が本発明の範囲を超えると見なされるべきではない。
【０１７３】
便利で簡潔な記載を目的として、上記システム、装置、およびユニットの詳細な動作プロセスのため、上記方法実施形態の対応するプロセスが参照され、本明細書中で詳細が記載されないことは、当業者によって明確に理解されるだろう。
【０１７４】
本明細書で提供されるいくつかの実施形態において、開示されたシステム、装置、および方法が別のやり方で実施されてもよいことは、理解されるべきである。たとえば、開示された装置実施形態は例示に過ぎない。たとえば、ユニット区分は論理機能区分に過ぎず、実際の実施においては別の区分であってもよい。たとえば、複数のユニットまたは構成要素は別のシステムと組み合わせられるかまたは組み込まれてもよく、いくつかの特徴は無視されるかまたは実行されなくてもよい。加えて、表示または議論された相互結合または直接結合または通信接続は、いくつかのインターフェースを通じて実施されてもよい。装置またはユニットの間の間接結合または通信接続は、電子的、機械的、または別の形態で実施されてもよい。
【０１７５】
個別部品として記載されたユニットは物理的に分離していてもいなくてもよく、ユニットとして記載された部品は物理的ユニットであってもなくてもよく、1箇所に位置してもよく、あるいは複数のネットワークユニット上に分散していてもよい。一部またはすべてのユニットは、実施形態の解決法の目的を達成するための実際の必要性に応じて選択されてもよい。
【０１７６】
加えて、本発明の実施形態における機能ユニットは、1つの処理ユニットに組み込まれてもよく、あるいはユニットの各々は物理的に単独で存在してもよく、あるいは2つ以上のユニットが1つのユニットに組み込まれる。
【０１７７】
機能がソフトウェア機能ユニットの形態で実施されて独立した製品として販売または使用されるとき、機能はコンピュータ可読記憶媒体に記憶されてもよい。このような理解に基づき、本発明の技術的解決法は本質的に、または従来技術に寄与する部分、または技術的解決法の一部は、ソフトウェア製品の形態で実施されてもよい。ソフトウェア製品は、記憶媒体に記憶され、本発明の実施形態に記載された方法のステップのすべてまたは一部を実行するようにコンピュータ装置（パーソナルコンピュータ、サーバ、またはネットワーク装置であってもよい）またはプロセッサに命令するための、いくつかの命令を含む。上記記憶媒体は、USBフラッシュドライブ、リムーバブル・ハード・ディスク、読み取り専用メモリ（ROM、Read-Only Memory）、ランダム・アクセス・メモリ（RAM、Random Access Memory）、磁気ディスク、または光ディスクなど、プログラムコードを記憶することができるいずれの媒体も含む。
【０１７８】
上記の記載は、本発明の特定の実施形態に過ぎないが、本発明の保護範囲を限定するように意図されるものではない。本発明に開示された技術範囲内で当業者によって容易に想起されるいずれの変更または置き換えも、本発明の保護範囲に含まれるものとする。したがって、本発明の保護範囲は、請求項の保護範囲に従属する。
【符号の説明】
【０１７９】
100  輻輳制御実施システム
101  モビリティ管理エンティティ（MME)
102  E-UTRANノードB（eNodeB）
900  モビリティ管理エンティティ（MME）
901  制御ユニット
902  送信ユニット
903  受信ユニット
1000  E-UTRANノードB（eNodeB）
1001  受信ユニット
1002  制御ユニット
1100  移動通信交換局（MSC）
1101  受信ユニット
1102  制御ユニット
1103  送信ユニット
1200  モビリティ管理エンティティ（MME)
1201  第一制御ユニット
1202  第二制御ユニット
1203  第三制御ユニット
1204  受信ユニット
1300  モビリティ管理エンティティ（MME)
1301  プロセッサ
1302  送信器
1303  受信器
1400  E-UTRANノードB（eNodeB）
1401  受信器
1402  プロセッサ
1500  移動通信交換局（MSC）
1501  受信器
1502  プロセッサ
1503  送信器
1600  モビリティ管理エンティティ（MME)
1601  プロセッサ
1602  受信器
【手続補正２】
【補正対象書類名】特許請求の範囲
【補正対象項目名】全文
【補正方法】変更
【補正の内容】
【特許請求の範囲】
【請求項１】
輻輳制御実装方法であって、
モビリティ管理エンティティ(MME)によって、単一無線音声通信継続(SRVCC)オフロードが行われる必要のある1つ以上のユーザ機器を決定するステップと、
前記MMEによって、SRVCCハンドオーバ手順を起動するときにE-UTRANノードB(eNodeB)が前記1つ以上のユーザ機器をロング・ターム・エボリューション(LTE)ドメインから回線交換(CS)ドメインに切り替えるように、前記1つ以上のユーザ機器をサービスする前記eNodeBにSRVCCオフロードメッセージを送信するステップと、
を備える方法。
【請求項２】
1つ以上のユーザ機器を決定する前に、前記方法は、
前記MMEによって、前記MMEが輻輳状態にあると判断するステップ
をさらに備える、請求項1に記載の方法。
【請求項３】
前記MMEが輻輳状態にあると判断するステップは、
前記MMEによって、ネットワーク側装置によって送信されるセル輻輳情報にしたがって前記MMEが輻輳状態にあると判断するステップであって、前記セル輻輳情報はセル輻輳レベルおよびセル情報を含む、ステップ、または
サービス品質クラス識別子QCIベアラ設定成功率に関する統計を収集し、前記QCIベアラ設定成功率が予め設定された閾値よりも低いときに前記MMEが輻輳状態にある、と前記MMEによって、判断するステップ、
を備える、請求項2に記載の方法。
【請求項４】
前記1つ以上のユーザ機器をサービスするE-UTRANノードB eNodeBにSRVCCオフロードメッセージを送信した後、前記方法は、
前記MMEによって、オフロード指示を移動通信交換局MSCに送信するステップであって、前記MSCが前記1つ以上のSRVCCオフロードユーザ機器を管理および制御するように、前記1つ以上のユーザ機器はSRVCCオフロードがすでに行われたユーザ機器であることを前記MSCに通知するために前記オフロード指示が使用されるステップ
をさらに含む、請求項1から3のいずれか一項に記載の方法。
【請求項５】
E-UTRANノードBが前記1つ以上のユーザ機器をLTEドメインからCSドメインに切り替えた後、前記方法は、
前記eNodeBによって、CSからLTEへの切り替えが必要とされるときに、前記1つ以上のユーザ機器をCSドメインからLTEドメインに戻すよう切り替えるステップ
をさらに備える、請求項1に記載の方法。
【請求項６】
輻輳制御実装方法であって、前記方法はE-UTRANノードB (eNodeB)によって実行され、前記方法は、
モビリティ管理エンティティ(MME)によって送信された単一無線音声通信継続(SRVCC)オフロードメッセージを受信するステップであって、前記SRVCCオフロードメッセージは、前記E-UTRANノードBによって支配される1つ以上のユーザ機器のためのSRVCCハンドオーバ手順を起動するように命令するために使用される、ステップと、
前記1つ以上のユーザ機器に対してSRVCCハンドオーバ手順を起動するステップと、
前記SRVCCハンドオーバ手順が前記1つ以上のユーザ機器のために起動されたときに、前記1つ以上のユーザ機器をロング・ターム・エボリューションLTEドメインから回線交換CSドメインに切り替えるステップと、
を備える方法。
【請求項７】
輻輳制御実装方法であって、前記方法は移動通信交換局(MSC)によって実行され、前記方法は、
モビリティ管理エンティティMMEによって送信されたオフロード指示を受信するステップであって、前記オフロード指示は、前記1つ以上のユーザ機器は単一無線音声通信継続SRVCCオフロードがすでに行われたユーザ機器であることを前記MSCに通知するために使用される、ステップと、
前記オフロード指示にしたがって前記1つ以上のユーザ機器を管理および制御するステップであって、前記オフロード指示にしたがって前記1つ以上のユーザ機器を管理および制御するステップは、前記1つ以上のユーザ機器の音声通話が終了したときに、基地局コントローラまたは無線ネットワークコントローラが前記1つ以上のユーザ機器をロング・ターム・エボリューションLTEドメインまで返すように、クリアリングメッセージを使用することによって前記基地局コントローラまたは前記無線ネットワークコントローラにLTEドメイン復帰情報を送信するステップを含む、ステップと、
を備える方法。
【請求項８】
前記クリアリングメッセージを使用することによって前記基地局コントローラまたは前記無線ネットワークコントローラにLTEドメイン復帰情報を送信するステップの前に、前記方法は、
前記1つ以上のユーザ機器の音声通話フォールバックの課金データ記録に料金表示を追加するステップであって、前記料金表示は、前記1つ以上のユーザ機器がボイス・オーバー・ロング・ターム・エボリューションVoLTEユーザ機器と同じ料金制度を使用することを示すために使用される、ステップ
をさらに備える、請求項7に記載の方法。
【請求項９】
前記クリアリングメッセージを使用することによって前記基地局コントローラまたは前記無線ネットワークコントローラにLTEドメイン復帰情報を送信するステップの前に、前記方法は、
前記1つ以上のユーザ機器が音声通話を行うときに、前記音声通話中に高速符号化および復号が使用されると判断するステップ
をさらに備える、請求項7に記載の方法。
【請求項１０】
輻輳制御実装方法であって、前記方法はモビリティ管理エンティティMMEによって実行され、
単一無線音声通信継続SRVCCオフロードがすでに行われた1つ以上のユーザ機器を決定するステップと、
前記1つ以上のユーザ機器を回線交換CSドメインからロング・ターム・エボリューションLTEドメインに切り替えるステップと、
を備える方法。
【請求項１１】
前記1つ以上のユーザ機器を決定するステップの前に、前記方法は、
前記MMEが正常状態にあると判断するステップ
をさらに備える、請求項10に記載の方法。
【請求項１２】
前記MMEが正常状態にあると判断するステップは
ネットワーク側装置によって送信されたセル輻輳情報にしたがって、前記MMEが正常状態にあると判断するステップであって、前記セル輻輳情報はセル輻輳レベルおよびセル情報を備える、ステップ、または
サービス品質クラス識別子QCIベアラ設定成功率に関する統計を収集し、前記QCIベアラ設定成功率が予め設定された閾値よりも高いときに前記MMEが正常状態にあると判断するステップ、
を備える、請求項11に記載の方法。
【請求項１３】
モビリティ管理エンティティ(MME)であって、
単一無線音声通信継続(SRVCC)オフロードがすでに行われた1つ以上のユーザ機器を決定するように構成された制御ユニットと、
SRVCCハンドオーバ手順の間にE-UTRANノードB (eNodeB)が前記1つ以上のユーザ機器をロング・ターム・エボリューション(LTE)ドメインから回線交換(CS)ドメインに切り替えるように、前記制御ユニットによって決定された1つ以上のユーザ機器をサービスする前記eNodeBにSRVCCオフロードメッセージを送信するように構成された、送信ユニットと、
を備えるモビリティ管理エンティティMME。
【請求項１４】
前記制御ユニットは、前記1つ以上のユーザ機器が決定される前に、前記MMEが輻輳状態にあると判断するようにさらに構成されている、
請求項13に記載のMME。
【請求項１５】
前記MMEは、ネットワーク側装置によって送信されるセル輻輳情報を受信するように構成された、受信ユニットをさらに備え、前記セル輻輳情報はセル輻輳レベルおよびセル情報を備え、
前記制御ユニットは、前記受信ユニットによって受信された前記セル輻輳情報にしたがって、前記MMEが輻輳状態にあると判断するように構成されている、
請求項14に記載のMME。
【請求項１６】
前記制御ユニットは、サービス品質クラス識別子QCIベアラ設定成功率に関する統計を収集するようにさらに構成されており、
前記制御ユニットは、前記QCIベアラ設定成功率が予め設定された閾値よりも低いときに、前記MMEが輻輳状態にあると判断するように明確に構成されている、
請求項14に記載のMME。
【請求項１７】
前記送信ユニットは、オフロード指示を移動通信交換局(MSC)に送信するようにさらに構成されており、前記オフロード指示は、前記1つ以上のユーザ機器はSRVCCオフロードがすでに行われたユーザ機器であることを前記MSCに通知するために使用される、
請求項13に記載のMME。
【請求項１８】
前記制御ユニットは、CSからLTEへの切り替えが必要とされるときに前記1つ以上のユーザ機器をCSドメインからLTEドメインに切り替えるようにさらに構成されている、
請求項13に記載のMME。
【請求項１９】
E-UTRANノードB (eNodeB)であって、
モビリティ管理エンティティ(MME)によって送信された単一無線音声通信継続(SRVCC)オフロードメッセージを受信するように構成された受信ユニットであって、前記SRVCCオフロードメッセージはE-UTRANノードBによって支配される1つ以上のユーザ機器のためのSRVCCハンドオーバ手順を起動するように命令するために使用される、受信ユニットと、
前記受信ユニットによって受信された前記SRVCCオフロードメッセージにしたがって、前記SRVCCハンドオーバ手順が前記1つ以上のユーザ機器によって起動されたときに前記1つ以上のユーザ機器をロング・ターム・エボリューション(LTE)ドメインから回線交換CSドメインに切り替えるように構成された制御ユニットと、
を備えるE-UTRANノードB eNodeB。
【請求項２０】
移動通信交換局(MSC)であって、
モビリティ管理エンティティ(MME)によって送信されたオフロード指示を受信するように構成された受信ユニットであって、前記オフロード指示は、1つ以上のユーザ機器は単一無線音声通信継続SRVCCオフロードがすでに行われたユーザ機器であることを前記MSCに通知するために使用される、受信ユニットと、
前記受信ユニットによって受信された前記オフロード指示にしたがってLTEドメイン復帰情報を決定するように構成された制御ユニットと、
前記1つ以上のユーザ機器の音声通話が終了したときに、クリアリングメッセージを使用することによって基地局コントローラまたは無線ネットワークコントローラに、前記制御ユニットによって決定されたロング・ターム・エボリューションLTEドメイン復帰情報を送信するように構成された、送信ユニットと、
を備える、移動通信交換局MSC。
【請求項２１】
前記制御ユニットは、前記受信ユニットによって受信された前記オフロード指示にしたがって、前記送信ユニットが前記LTEドメイン復帰情報を送信する前に前記1つ以上のユーザ機器の音声通話フォールバックの課金データ記録に料金表示を追加するように、さらに構成されている、
請求項20に記載のMSC。
【請求項２２】
前記制御ユニットは、前記送信ユニットが前記LTEドメイン復帰情報を送信する前に、前記受信ユニットによって受信された前記オフロード指示にしたがって、前記1つ以上のユーザ機器の音声通話の間に高速符号化および復号が使用されると判断するように、さらに構成されている、
請求項20に記載のMSC。
【請求項２３】
モビリティ管理エンティティ(MME)であって、
単一無線音声通信継続(SRVCC)オフロードがすでに行われた1つ以上のユーザ機器を決定するように構成された第一制御ユニットと、
前記第一制御ユニットによって決定された前記1つ以上のユーザ機器を回線交換(CS)ドメインからロング・ターム・エボリューション(LTE)ドメインに切り替えるように構成された第二制御ユニットと、
を備えるモビリティ管理エンティティMME。
【請求項２４】
前記MMEは、
前記第一制御ユニットが前記1つ以上のユーザ機器を決定する前に、前記MMEが正常状態にあると判断するように構成された第三制御ユニットをさらに備える、
請求項23に記載のMME。
【請求項２５】
前記MMEは受信ユニットをさらに備え、
前記受信ユニットは、ネットワーク側装置によって送信されたセル輻輳情報を受信するようにさらに構成されており、前記セル輻輳情報はセル輻輳レベルおよびセル情報を備え、
前記第三制御ユニットは、前記受信ユニットによって受信された前記セル輻輳情報にしたがって、前記MMEが正常状態にあると判断するように明確に構成されている、
請求項24に記載のMME。
【請求項２６】
前記第三制御ユニットは、サービス品質クラス識別子QCIベアラ設定成功率に関する統計を収集するようにさらに構成されており、
前記第三制御ユニットは、前記QCIベアラ設定成功率が予め設定された閾値よりも高いときに、前記MMEが正常状態にあると判断するように構成されている、
請求項24に記載のMME。
【国際調査報告】
2016513894.tif 000019
2016513894.tif 000020
2016513894.tif 000021
2016513894.tif 000022
2016513894.tif 000023
2016513894.tif 000024